(57)【要約】界面活性剤系と、オリゴアミン（好ましくはジエチレントリアミン（ＤＥＴＡ）、４−メチルジエチレントリアミン（４−ＭｅＤＥＴＡ）、Ｎ，Ｎ’−ビス（３−アミノプロピル）エチレンジアミン）とを含む、処理組成物であって、当該界面活性剤系は、直鎖状アルキルベンゼンスルホネートを含む、処理組成物。このような組成物の使用及び調製の関連方法。標的布地に関してオリゴアミンの悪臭制御効果を改善するための、界面活性剤系の使用。【特許請求の範囲】
【請求項１】
オリゴアミン及び／又はその塩と、界面活性剤系とを含む、処理組成物であって、
前記オリゴアミンは、前記処理組成物の０．０１重量％〜３．０重量％の濃度で存在し、
前記オリゴアミンは、式Ｉ：
【化１】
2021533244.tif 000021
［式中、
各Ｌは、独立して、−（ＣｍＨ２ｍ）−であり、添字ｍは、各Ｌについて独立して、２〜６の整数であり、
ｎは１〜１０の整数であり、
Ｒ１〜Ｒ５の各々は独立して、Ｈ及びＣ１〜Ｃ４アルキルから選択される］による構造を有し、
前記界面活性剤系は、直鎖状アルキルベンゼンスルホネート（ＬＡＳ）界面活性剤を含む、処理組成物。
【請求項２】
前記オリゴアミンは、前記処理組成物の０．０１重量％〜２重量％、又は０．０２重量％〜１重量％、又は約０．０３重量％〜０．５重量％、又は０．０５重量％〜０．２重量％の濃度で存在する、請求項１に記載の処理組成物。
【請求項３】
添字ｍは、２又は３であり、好ましくは、ｍは、２である、請求項１又は２に記載の処理組成物。
【請求項４】
ｎは、１〜５、好ましくは１〜３、より好ましくは１又は２、更により好ましくは１の整数である、請求項１〜３のいずれか一項に記載の処理組成物。
【請求項５】
Ｒ１〜Ｒ５の各々は独立して、Ｈ及びＣ１アルキルから選択され、好ましくは、Ｒ１〜Ｒ５のうちの少なくとも１つはＨであり、より好ましくは、Ｒ１〜Ｒ４のうちの少なくとも１つはＨであり、更により好ましくは、全てがＨである、請求項１〜４のいずれか一項に記載の処理組成物。
【請求項６】
前記オリゴアミンは、１００〜１２００Ｄａ、又は１００〜９００Ｄａ、又は１００〜６００Ｄａ、又は１００〜４００Ｄａ、又は、好ましくは１００〜２５０Ｄａ、より好ましくは１００〜２００Ｄａ、更により好ましくは１００〜１５０Ｄａの分子量を特徴とする、請求項１〜５のいずれか一項に記載の処理組成物。
【請求項７】
前記オリゴアミンは、ジエチレントリアミン（ＤＥＴＡ）、４−メチルジエチレントリアミン（４−ＭｅＤＥＴＡ）、ジプロピレントリアミン（ＤＰＴＡ）、５−メチルジプロピレントリアミン（５−ＭｅＤＰＴＡ）、トリエチレンテトラアミン（ＴＥＴＡ）、４−メチルトリエチレンテトラアミン（４−ＭｅＴＥＴＡ）、４，７−ジメチルトリエチレンテトラアミン（４，７−Ｍｅ２ＴＥＴＡ）、１，１，４，７，７−ペンタメチルジエチレントリアミン（Ｍ５−ＤＥＴＡ）、トリプロピレンテトラアミン（ＴＰＴＡ）、テトラエチレンペンタアミン（ＴＥＰＡ）、テトラプロピレンペンタアミン（ＴＰＰＡ）、ペンタエチレンヘキサアミン（ＰＥＨＡ）、ペンタプロピレンヘキサアミン（ＰＰＨＡ）、ヘキサエチレンヘプタアミン（ＨＥＨＡ）、ヘキサプロピレンヘプタアミン（ＨＰＨＡ）、Ｎ，Ｎ’−ビス（３−アミノプロピル）エチレンジアミン、及びこれらの混合物からなる群から選択され、好ましくは、前記オリゴアミンは、ジエチレントリアミン（ＤＥＴＡ）、４−メチルジエチレントリアミン（４−ＭｅＤＥＴＡ）、１，１，４，７，７−ペンタメチルジエチレントリアミン（Ｍ５−ＤＥＴＡ）、トリエチレンテトラミン（ＴＥＴＡ）、テトラエチレンペンタアミン（ＴＥＰＡ）、Ｎ，Ｎ’−ビス（３−アミノプロピル）エチレンジアミン、及びこれらの混合物、更により好ましくは、ジエチレントリアミン（ＤＥＴＡ）、４−メチルジエチレントリアミン（４−ＭｅＤＥＴＡ）、Ｎ，Ｎ’−ビス（３−アミノプロピル）エチレンジアミン、及びこれらの混合物からなる群から選択され、より好ましくは、前記オリゴアミンは、ジエチレントリアミン（ＤＥＴＡ）である、請求項１〜６のいずれか一項に記載の処理組成物。
【請求項８】
前記界面活性剤系は、前記界面活性剤系の５重量％、又は１０重量％、又は２０重量％、又は４０重量％、又は５０重量％、又は６０重量％、又は７０重量％、又は８０重量％、又は９０重量％から、１００重量％までのＬＡＳ界面活性剤を含む、請求項１〜７のいずれか一項に記載の処理組成物。
【請求項９】
前記界面活性剤系は第２の界面活性剤を更に含み、前記第２の界面活性剤は、アルキルエトキシル化サルフェート（ＡＥＳ）、非イオン性エトキシル化アルコール、アルキルエトキシル化カルボキシレート（ＡＥＣ）、又はこれらの混合物を含み、
前記第２の界面活性剤がＡＥＳを含む場合、好ましくは、ＬＡＳとＡＥＳとの重量比は、１０：９０〜９９：１、又は５０：５０〜９９：１、又は５０：５０〜９０：１０、又は８０：２０〜９０：１０であり、
前記第２の界面活性剤が非イオン性エトキシル化アルコール界面活性剤を含む場合、好ましくは、ＬＡＳと非イオン性エトキシル化アルコール界面活性剤との重量比は、１０：９０〜９９：１、又は５０：５０〜９９：１、又は５０：５０〜９０：１０、又は８０：２０〜９０：１０であり、及び／又は
前記第２の界面活性剤がアルキルエトキシル化カルボキシレート（ＡＥＣ）を含む場合、好ましくは、ＬＡＳとＡＥＣとの重量比は、５０：５０超〜９９：１、又は６０：４０〜９５：５、又は７５：２５〜９０：１０である、請求項１〜８のいずれか一項に記載の処理組成物。
【請求項１０】
前記界面活性剤系は、前記処理組成物の１重量％〜９０重量％、又は１重量％〜８０重量％、又は１重量％〜７０重量％、又は２重量％〜６０重量％、又は５重量％〜５０重量％の濃度で存在する、請求項１〜９のいずれか一項に記載の処理組成物。
【請求項１１】
前記界面活性剤系は双性イオン性界面活性剤を更に含み、好ましくは、前記双性イオン性界面活性剤はアミンオキシドを含む、請求項１〜１０のいずれか一項に記載の処理組成物。
【請求項１２】
前記処理組成物は追加の処理補助剤を含み、好ましくは、前記処理補助剤は、酸化防止剤、色調剤、光学的増白剤、追加のキレート剤、酵素、脂肪酸及び／又はその塩、カプセル化有益剤、汚れ放出ポリマー、ビルダー、移染防止剤、分散剤、酵素安定剤、触媒材料、漂白剤、漂白触媒、漂白活性化剤、ポリマー分散剤、汚れ除去／再付着防止剤、ポリマー脂クリーニング剤、両親媒性コポリマー、抑泡剤、審美染料、香料、構造弾性化剤、布地柔軟剤、担体、充填剤、ヒドロトロープ、溶媒、抗菌剤及び／又は防腐剤、ｐＨ調整剤、加工助剤、充填剤、レオロジー調整剤、構造化剤、乳白剤、真珠光沢剤、顔料、防食剤、耐変色剤、消泡剤、塩素捕捉剤、並びにこれらの混合物から選択される、請求項１〜１１のいずれか一項に記載の処理組成物。
【請求項１３】
前記追加の処理補助剤は、酸化防止剤、好ましくはヒンダードフェノールを含む酸化防止剤を含む、請求項１〜１２のいずれか一項に記載の処理組成物。
【請求項１４】
前記追加の処理補助剤は追加のキレート剤を含み、好ましくは、追加のキレート剤は、ホスホネート、アミノカルボキシレート、アミノホスホネート、多官能置換芳香族キレート剤、又はこれらの混合物から選択され、より好ましくは、追加のキレート剤は、ＤＴＰＡ（ジエチレントリアミン五酢酸）、ＨＥＤＰ（ヒドロキシエタンジホスホン酸）、ＥＤＤＳ（エチレンジアミン二コハク酸（ＥＤＤＳ）、ＤＴＰＭＰ（ジエチレントリアミンペンタ（メチレンホスホン酸））、ＥＤＴＭＰ（エチレンジアミンテトラ（メチレンホスホン酸））、Ｔｉｒｏｎ（登録商標）（１，２−ジヒドロキシベンゼン−３，５−ジスルホン酸）、ＨＰＮＯ（２−ピリジノール−Ｎ−オキシド）、ＭＧＤＡ（メチルグリシン二酢酸）、ＧＬＤＡ（グルタミン酸−Ｎ，Ｎ−二酢酸）、これらの任意の好適な誘導体、これらの塩、及びこれらの混合物から選択される、請求項１〜１３のいずれか一項に記載の処理組成物。
【請求項１５】
前記処理組成物は、布地ケア組成物であり、好ましくは軽質液体洗剤組成物、重質液体洗剤組成物、洗濯洗剤ゲル、漂白組成物、洗濯添加剤、布地強化組成物、及びこれらの混合物から選択される布地ケア組成物であり、より好ましくは重質液体洗剤組成物、布地強化剤組成物、及びこれらの混合物から選択される布地ケア組成物であり、更により好ましくは、重質液体洗剤組成物である、請求項１〜１４のいずれか一項に記載の処理組成物。
【請求項１６】
前記処理組成物は、液体組成物、顆粒状組成物、単区画パウチ、多区画パウチ、溶解性シート、トローチ若しくはビーズ、繊維状物品、錠剤、バー、フレーク、乾燥用シート、又はこれらの混合物の形態であり、好ましくは液体組成物の形態である、請求項１に記載の処理組成物。
【請求項１７】
表面を処理するプロセスであって、
ａ．表面、好ましくは布地、より好ましくは皮脂で汚れた布地を提供する工程と、
ｂ．前記表面を、請求項１〜１６のいずれか一項に記載の組成物と、任意選択的に水の存在下で接触させる工程と、を含む、プロセス。
【請求項１８】
標的布地に関してオリゴアミン及び／又はその塩の悪臭制御効果を改善するための、布地ケア組成物における界面活性剤系の使用であって、
前記界面活性剤系は、直鎖状アルキルベンゼンスルホネート界面活性剤を含み、
前記オリゴアミンは、式Ｉ：
【化２】
2021533244.tif 000022
［式中、
各Ｌは、独立して、−（ＣｍＨ２ｍ）−であり、添字ｍは、各Ｌについて独立して、２〜６の整数であり、
ｎは１〜１０の整数であり、
Ｒ１〜Ｒ５の各々は独立して、Ｈ及びＣ１〜Ｃ４アルキルから選択される］による構造を有し、
好ましくは、前記界面活性剤系は、ＡＥＳ、非イオン性エトキシル化アルコール界面活性剤、ＡＥＣ、又はこれらの混合物を更に含む、使用。
【発明の詳細な説明】
【技術分野】
【０００１】
本開示は、界面活性剤系と、オリゴアミンとを含む、処理組成物に関する。本開示は更に、このような組成物の使用方法及び調製方法に関する。
【背景技術】
【０００２】
洗濯洗浄プロセスなどの多くの処理プロセスは、布地などの表面から汚れをなくすように設計されている。一部の汚れは、布地で悪臭を引き起こす場合があり、これは処理プロセスを終えた後に持続している場合があり、又は更に形成される場合がある。したがって、消費者製品及び産業用クリーニング製品の製造業者は、悪臭制御の改善がもたらされる、組成物及びプロセスを提供しようとしている。
【０００３】
別個に、特定のポリアミン又はオリゴアミンは、洗剤組成物に使用することが知られている。このようなポリアミン又はオリゴアミンは、油脂除去などの特定のクリーニング効果を促進することができる。しかし、このような化合物は、布地の黄変などの変色を引き起こす場合がある。
【発明の概要】
【発明が解決しようとする課題】
【０００４】
特にこのような組成物によってオリゴアミンの使用をより効率的にすることができる場合、悪臭制御の改善がもたらされる組成物を提供する必要がある。
【課題を解決するための手段】
【０００５】
本開示は、特定のオリゴアミン及び／又はその塩と、特定の界面活性剤系とを有する、処理組成物に関する。
【０００６】
例えば、本開示は、オリゴアミン及び／又はその塩と、界面活性剤系とを含む、処理組成物であって、オリゴアミンは、処理組成物の約０．０１重量％〜３．０重量％の濃度で存在し、オリゴアミンは、式Ｉ：
【０００７】
【化１】
2021533244.tif 000002
［式中、各Ｌは独立して、−（ＣｍＨ２ｍ）−であり、添字ｍは各Ｌについて独立して、２〜６の整数であり、ｎは１〜１０の整数であり、Ｒ１〜Ｒ５の各々は独立して、Ｈ及びＣ１〜Ｃ４アルキルから選択され、典型的には、Ｒ１〜Ｒ５のうちの少なくとも１つはＨである］による構造を有し、界面活性剤系は、直鎖状アルキルベンゼンスルホネート（linear alkyl benzene sulfonate、ＬＡＳ）界面活性剤を含む、処理組成物に関する。
【０００８】
本開示はまた、表面を処理するプロセスであって、（ａ）表面、好ましくは布地、より好ましくは皮脂で汚れた布地を提供する工程と、（ｂ）表面を、本開示に記載の組成物と、任意選択的に水の存在下で接触させる工程と、を含む、プロセスにも関する。
【０００９】
本開示はまた、標的布地に関してオリゴアミン及び／又はその塩の悪臭制御効果を改善するための、布地ケア組成物における界面活性剤系の使用であって、界面活性剤系は、直鎖状アルキルベンゼンスルホネート界面活性剤を含み、オリゴアミンは、本明細書に記載の式Ｉによる構造を有する、使用にも関する。
【発明を実施するための形態】
【００１０】
本開示は、オリゴアミンと、直鎖状アルキルベンゼンスルホネート（ＬＡＳ）界面活性剤とを含む、処理組成物に関する。このようなオリゴアミンにより、例えば洗濯した布地に関して驚くべき悪臭効果をもたらすことができ、その効果を、ＬＡＳを含む組成物において改善することができることが、見出された。
【００１１】
理論に束縛されるものではないが、処理液中の銅イオン（例えば、Ｃｕ２＋）などの金属イオンにより、標的表面上の皮脂などの特定の汚れの分解を促進することができると考えられる。このような分解により、揮発性の悪臭化合物を空気中に放出することができる。本開示のオリゴアミンにより、処理液中の銅イオンをキレート化及び封鎖し、それによってこのような悪臭化合物の放出を防止することができると考えられる。
【００１２】
更に、本発明のオリゴアミンとＬＡＳ界面活性剤との組み合わせにより、驚くほど良好な悪臭制御効果をもたらすことができることが見出された。理論に束縛されるものではないが、標的表面上へのオリゴアミンの付着を、ＬＡＳ界面活性剤によって、例えば疎水性相互作用を介して補助することができると考えられる。オリゴアミンの付着がより効率的になるほど、悪臭を引き起こす汚れの分解を、より阻害する場合がある。オリゴアミン及びＬＡＳなどのアニオン性界面活性剤と、典型的には、表面から汚れを除去することによって効果をもたらすので、このような効果をもたらす機構は、直感的に理解されるものではない。ＬＡＳは、１つ以上の追加の界面活性剤を含んでもよい界面活性剤系の一部であってもよい。
【００１３】
本開示の組成物及びプロセスについては、以下でより詳細に記載する。
【００１４】
本明細書で使用するとき、特許請求の範囲で使用される際の冠詞「ａ」及び「ａｎ」は、特許請求又は記載されているもののうちの１つ以上を意味すると理解される。本明細書で使用するとき、用語「含む（include）」、「含む（includes）」、及び「含んでいる（including）」は、非限定的であることを意味する。本開示の組成物は、本開示の成分を含むか、それらから本質的になるか、又はそれらからなることができる。
【００１５】
本明細書では、「実質的に含まない（substantially free of）」又は「実質的に含まない（substantially free from）」という用語を使用してもよい。これは、指示される材料が最小限の量であり、組成物の一部を形成するように意図的にその組成物に添加されたものでないこと、又は好ましくは、分析的に検出可能な濃度で存在しないことを意味する。それは、指示される材料が意図的に含まれる他の材料のうちの１つの中に不純物としてのみ存在する組成物を含むことを意味する。指示される材料は、あったとしても、組成物の１重量％未満、又は０．１重量％未満、又は０．０１重量％未満、又は更には０重量％の濃度で存在してもよい。
【００１６】
本明細書で使用するとき、語句「布地ケア組成物」は、布地処理用に設計された組成物及び配合物を含む。このような組成物としては、洗濯クリーニング組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤又は組成物、洗濯すすぎ添加剤、洗浄添加剤、すすぎ後布地処理剤、アイロン助剤、単位用量配合物、遅延送達配合物、多孔性基材若しくは不織布シート上又は中に含有される洗剤、乾燥用シート、及び本明細書の教示を考慮すると当業者に明白であり得るその他の好適な形態が挙げられるが、これらに限定されない。このような組成物を、洗濯前処理剤、洗濯後処理剤として使用してもよく、又は洗濯操作のすすぎ若しくは洗浄サイクル中に添加してもよい。
【００１７】
本明細書で使用するとき、「液体」は、自由流動性液体、並びにペースト、ゲル、泡、及びムースを含む。液体の非限定的な例としては、軽質及び重質液体洗剤組成物、布地強化剤、洗濯で一般に使用される洗剤ゲル、漂白剤及び洗濯添加剤が挙げられる。気体、例えば、懸濁気泡、又は固体、例えば、粒子が、液体に含まれてもよい。液体組成物は、組成物の約０重量％〜約９０重量％、又は３０重量％〜約９０重量％、又は５０重量％〜約８０重量％の水を有してもよく、非水性液体洗剤を含んでもよい。
【００１８】
本明細書で使用するとき、「固体」は、粉末、粒塊、及びこれらの混合物を含むが、これらに限定されない。固体の非限定的な例としては、顆粒、マイクロカプセル、ビーズ、フレーク、ヌードル、及び真珠光沢ボールが挙げられる。
【００１９】
別途記載のない限り、全ての成分又は組成物の濃度は、その成分又は組成物の活性部分に関するものであり、このような成分又は組成物の市販の供給源に存在し得る不純物、例えば、残留溶媒又は副生成物は除外される。
【００２０】
本明細書における全ての温度は、別途記載のない限り、摂氏（℃）である。別途指示のない限り、本明細書における全ての測定は、２０℃及び大気圧下で行われる。
【００２１】
本開示の全ての実施形態において、全ての比率（％）は、特に記載のない限り、全組成物の重量に対するものである。特に記載のない限り、全ての比は重量比である。
【００２２】
本明細書の全体を通して与えられる全ての最大数値限定は、それよりも小さい全ての数値限定を、かかるより小さい数値限定があたかも本明細書に明確に記載されているかのように含むものと理解すべきである。本明細書の全体を通して与えられる全ての最小数値限定は、それよりも高い全ての数値限定を、かかるより高い数値限定があたかも本明細書に明確に記載されているかのように含む。本明細書の全体を通して与えられる全ての数値範囲は、かかるより広い数値範囲内に含まれるより狭い全ての数値範囲を、かかるより狭い数値範囲があたかも全て本明細書に明確に記載されているかのように含む。
【００２３】
処理組成物
本開示は、表面を処理するのに好適な処理組成物に関する。処理組成物は、オリゴアミンと、直鎖状アルキルベンゼンスルホネート界面活性剤を含む界面活性剤系とを、含有してもよい。組成物は、追加の処理補助剤を更に含んでもよい。
【００２４】
本開示の処理組成物は、布地ケア組成物であってもよい。このような組成物を、洗濯前処理剤、洗濯後処理剤として使用してもよく、又は洗濯操作のすすぎ若しくは洗浄サイクル中に添加してもよい。これはまた、ドライクリーニングの状況で使用してもよい。
【００２５】
組成物は、軽質液体洗剤組成物、重質液体洗剤組成物、洗濯で一般に使用される洗剤ゲル、漂白組成物、洗濯添加剤、布地強化組成物、及びこれらの混合物からなる群から選択されてもよい。組成物は、重質液体洗剤組成物又は布地強化組成物であってもよい。組成物は、自動洗濯機の洗浄サイクル中及び／又はすすぎサイクル中に使用する意図のものであってもよい。
【００２６】
組成物は、任意の好適な形態であってもよい。組成物は、液体組成物、顆粒状組成物、単区画パウチ、多区画パウチ、溶解性シート、トローチ若しくはビーズ、繊維状物品、錠剤、バー、フレーク、乾燥用シート、又はこれらの混合物の形態であってもよい。組成物は、液体、固体、又はこれらの組み合わせから選択することができる。
【００２７】
クリーニング組成物は、錠剤、パウチ、シート、又は繊維状物品などの、単位化用量物品の形態であってもよい。このようなパウチは、典型的には、組成物を少なくとも部分的に封入する水溶性フィルム、例えば、ポリビニルアルコール水溶性フィルムを含む。好適なフィルムは、ＭｏｎｏＳｏｌ，ＬＬＣ（Ｉｎｄｉａｎａ，ＵＳＡ）から入手可能である。組成物は、単一区画パウチに封入しても、又は多区画パウチに封入してもよい。多区画パウチは、少なくとも２つ、少なくとも３つ、又は少なくとも４つの区画を有してもよい。多区画パウチは、並べて及び／又は重ねておかれた区画を含むことができる。パウチ又はその区画内に収容される組成物は、液体、固体（粉末など）、又はこれらの組み合わせであってもよい。パウチにした組成物は、比較的少量の水、例えば、洗剤組成物の約２０重量％未満、又は約１５重量％未満、又は約１２重量％未満、又は約１０重量％未満、又は約８重量％未満の水を有してもよい。
【００２８】
本開示のオリゴアミン及び界面活性剤系について、以下でより詳細に記載する。
【００２９】
オリゴアミン
本開示の処理組成物は、オリゴアミン又はその塩を含む。本開示によるオリゴアミンは、アミン官能基を含み、特定のアルキレン基を介して連結された、一級、二級、又は三級アミンであってもよい。理論に束縛されるものではないが、本開示のオリゴアミンは、銅（Ｃｕ２＋）など特定の金属をキレート化するのに十分に好適であり、このようなキレート化により悪臭制御効果をもたらすことができると考えられる。
【００３０】
本開示の処理組成物は、処理組成物の約０．０１重量％又は約０．０５重量％から、約３．０重量％、約２．０重量％、約１．０重量％、約０．７５重量％、約０．５重量％、約０．４重量％、約０．３重量％、約０．２重量％、約０．１５重量％、又は約０．１重量％までの、オリゴアミンを含んでもよい。本開示の目的のために、直鎖状オリゴアミンの重量％は、遊離塩基形態の重量を使用して計算される。意図する使用及び／又は配合に応じて、アミンは特定の表面の変色／黄変をもたらすことがあるので、比較的低濃度（例えば、約１％未満、又は約０．５％未満、又は約０．２％未満、又は約０．１％未満）のオリゴアミンが好ましい場合がある。
【００３１】
本開示のオリゴアミンは、直鎖状オリゴアミンと見なすことができる。「直鎖状」とは、式Ｉにより表されるオリゴミン主鎖上でグラフト化された更なるアミン含有側鎖が存在しないことを意味する。しかし、直鎖状オリゴアミンは、少なくともいくつかの場合では、メチル基又はエチル基などのオリゴアミン主鎖に結合しているアルキル基を有してもよいことが理解される。
【００３２】
本開示のオリゴアミンは、式Ｉ：
【００３３】
【化２】
2021533244.tif 000003
［式中、
各Ｌは独立して、−（ＣｍＨ２ｍ）−であり、添字ｍは各Ｌについて独立して、２〜６の整数であり、好ましくは、ｍは、２又は３、より好ましくはｍは２（例えば、エチレン基）であり、
ｎは、１〜１０の整数（すなわち、トリアミン、テトラミン、ペンタミン、ヘキサミン、ヘプタミンなど）であり、好ましくは１〜５、より好ましくは１〜３、更により好ましくは１〜２、最も好ましくは１の整数であり、
Ｒ１〜Ｒ５の各々は独立して、Ｈ及びＣ１〜Ｃ４アルキル、好ましくはＨ及びメチル（すなわち、Ｃ１アルキル）から選択される］による構造を有してもよい。ｎが１より大きい場合、各Ｒ５は独立して、示された群から選択されるが、各Ｒ５は同一であってもよいことが理解される。
【００３４】
添字ｍは各Ｌについて独立して、２〜６の整数であってもよく、添字ｍは、共通のＮ原子に直接連結されている２つのＬ基の各々について、２又は３、好ましくは２である。共通のＮ原子に隣接する２つのこのようなＬ基を有することにより、他のＬ基が比較的大きい場合（例えば、ｍが２より大きい場合）であっても、金属封鎖の改善を促進すると考えられる。
【００３５】
Ｒ１〜Ｒ５の各々は、Ｈであってもよい。Ｒ５は、メチルであってもよい。Ｒ５は、Ｈであってもよい。Ｒ１及びＲ３の一方又は両方が、メチルであってもよい。Ｒ１及びＲ３は、メチルであってもよく、Ｒ２及びＲ４は、両方とも水素であってもよい。Ｒ１〜Ｒ５の各々は、メチルであってもよい。Ｒ１〜Ｒ５のうちの少なくとも１つはＨであり、更により好ましくは、Ｒ１〜Ｒ４のうちの少なくとも１つはＨであることが好ましい場合がある。Ｒ１〜Ｒ４がＨであってもよく、Ｒ５は独立して、Ｈ及びＣ１アルキルから選択されてもよい。
【００３６】
本組成物は、上記式Ｉ［式中、Ｌ、ｍ、ｎ、及びＲ１〜Ｒ５は、上記のように定義され、ただし、ｎが１に等しい場合、Ｒ５は、Ｈ、及び１個〜１０個の炭素、又は１個〜６個の炭素、又は１個〜４個の炭素を有する部分から選択される］による構造を有するオリゴアミンを含んでもよい。
【００３７】
所望の製品の種類及び／又は全体的な効果余地に応じて、配合者は、特に末端位置に一級、二級、及び／又は三級の窒素を有するオリゴアミンを選択してもよい。理論に束縛されるものではないが、本発明のオリゴアミン中の一級窒素の存在により、悪臭制御効果の改善をもたらすことができると考えられ、これは、キレート化効率及び／又は布地などの標的表面に対する配位の改善に起因すると考えられる。また、理論に束縛されるものではないが、本発明のオリゴアミン中の三級窒素は、処理組成物における他の材料との相互作用、例えば、そうしないと反応（例えば、シッフ塩基の反応）が生じ、その結果液体製品の色が変化することがある特定の香料材料との反応を、より少なくすることができると考えられる。
【００３８】
式Ｉによる様々なオリゴアミンの混合物を含む処理組成物もまた、本開示の範囲の一部である。
【００３９】
本開示による好適なオリゴアミンとしては、ジエチレントリアミン（ＤＥＴＡ）、４−メチルジエチレントリアミン（４−ＭｅＤＥＴＡ）、ジプロピレントリアミン（ＤＰＴＡ）、５−メチルジプロピレントリアミン（５−ＭｅＤＰＴＡ）、トリエチレンテトラアミン（ＴＥＴＡ）、４−メチルトリエチレンテトラアミン（４−ＭｅＴＥＴＡ）、４，７−ジメチルトリエチレンテトラアミン（４，７−Ｍｅ２ＴＥＴＡ）、１，１，４，７，７−ペンタメチルジエチレントリアミン（Ｍ５−ＤＥＴＡ）、トリプロピレンテトラアミン（ＴＰＴＡ）、テトラエチレンペンタアミン（ＴＥＰＡ）、テトラプロピレンペンタアミン（ＴＰＰＡ）、ペンタエチレンヘキサアミン（ＰＥＨＡ）、ペンタプロピレンヘキサアミン（ＰＰＨＡ）、ヘキサエチレンヘプタアミン（ＨＥＨＡ）、ヘキサプロピレンヘプタアミン（ＨＰＨＡ）、Ｎ，Ｎ’−ビス（３−アミノプロピル）エチレンジアミン、又はこれらの混合物を挙げることできる。
【００４０】
オリゴアミンは、好ましくは、ジエチレントリアミン（ＤＥＴＡ）、４−メチルジエチレントリアミン（４−ＭｅＤＥＴＡ）、１，１，４，７，７−ペンタメチルジエチレントリアミン（Ｍ５−ＤＥＴＡ）、ジプロピレントリアミン（ＤＰＴＡ）、５−メチルジプロピレントリアミン（５−ＭｅＤＰＴＡ）、トリエチレンテトラミン（ＴＥＴＡ）、トリプロピレンテトラアミン（ＴＰＴＡ）、テトラエチレンペンタアミン（ＴＥＰＡ）、テトラプロピレンペンタアミン（ＴＰＴＡ）、Ｎ，Ｎ’−ビス（３−アミノプロピル）エチレンジアミン、及びこれらの混合物、より好ましくは、ジエチレントリアミン（ＤＥＴＡ）、４−メチルジエチレントリアミン（４−ＭｅＤＥＴＡ）、１，１，４，７，７−ペンタメチルジエチレントリアミン（Ｍ５−ＤＥＴＡ）、トリエチレンテトラミン（ＴＥＴＡ）、テトラエチレンペンタアミン（ＴＥＰＡ）、Ｎ，Ｎ’−ビス（３−アミノプロピル）エチレンジアミン、及びこれらの混合物、更により好ましくは、ジエチレントリアミン（ＤＥＴＡ）、４−メチルジエチレントリアミン（４−ＭｅＤＥＴＡ）、Ｎ，Ｎ’−ビス（３−アミノプロピル）エチレンジアミン、及びこれらの混合物、最も好ましくは、ジエチレントリアミン（ＤＥＴＡ）から選択されてもよい。分子量が低い及び／又は製造コストが比較的低いことから、ＤＥＴＡが好ましい場合がある。
【００４１】
オリゴアミンは、ジエチレントリアミン（「ＤＥＴＡ」（式中、ｍは２に等しく、ｎは１に等しく、Ｒ１〜Ｒ５の各々はＨである））、又はアルキル化形態（式中、例えば、Ｒ１〜Ｒ５のうちの１つ以上がメチルなどのアルキル基である）をはじめとするその誘導体を含んでもよい。オリゴアミンは、オリゴアミンの少なくとも８０重量％、又は更に少なくとも９０重量％、又は更に少なくとも９５重量％のジエチレントリアミン（ＤＥＴＡ）の形態を含んでもよく、更により好ましくは、オリゴアミンはジエチレントリアミン（ＤＥＴＡ）の形態からなる。オリゴアミンは、ＤＥＴＡ、４−メチルＤＥＴＡ、及びこれらの混合物、好ましくはＤＥＴＡ（非アルキル化ジエチレントリアミン）から選択されてもよい。
【００４２】
最終製品又は洗浄溶液のｐＨに応じて、窒素原子は、部分的に又は完全にプロトン化されてもよく、これにより、式Ｉによるオリゴアミンの塩形態をもたらす。これらの（部分）プロトン化オリゴアミンもまた、本開示の範囲の一部と見なすことができる。オリゴアミンが塩形態である場合、塩はアニオン性界面活性剤の塩ではないということがある。
【００４３】
本開示のオリゴアミンは、約１００〜約１２００Ｄａ、又は約１００〜約９００Ｄａ、又は約１００〜約６００Ｄａ、又は約１００〜約４００Ｄａ、好ましくは約１００〜約２５０Ｄａ、最も好ましくは約１００〜約１７５Ｄａ、又は更に約１００〜約１５０Ｄａの分子量を有してもよい。本開示の目的のために、分子量は、オリゴアミンの遊離塩基形態を使用して求める。
【００４４】
当業者は、本開示によるオリゴアミンを得る方法について理解している。例えば、式Ｉ［式中、Ｌは２に等しいｍを有する］によるオリゴアミンは、アンモニア及びエチレンジクロリドを伴う反応、続いて、分留によって得ることができる。得られた一般的なオリゴアミンは、ジエチレントリアミン（ＤＥＴＡ）、トリエチレンテトラミン（ＴＥＴＡ）、及びテトラエチレンペンタミン（ＴＥＰＡ）である。適切なハロゲン二置換アルキレンの使用を介して、式Ｉ［式中、ｍは２〜６に等しい］による他のオリゴアミンを形成することができる。
【００４５】
ペンタミンよりも高級であると、すなわち、ヘキサミン、ヘプタミン、オクタミン、及び場合によってはノナミンでは、共属由来の（cogenerically derived）混合物が蒸留によって分離するとは思われず、環状アミン、特にピペラジンなどの他の材料を含む場合がある。
【００４６】
本開示による好適なエチレン系オリゴアミンは、Ｄｏｗ、ＢＡＳＦ、Ｈｕｎｔｓｍａｎ、及びＡｋｚｏ  Ｎｏｂｅｌ  Ｃｏｒｐｏｒａｔｉｏｎｓをはじめとする複数の化学供給元から市販されている。
【００４７】
界面活性剤系
本開示の処理組成物は、界面活性剤系を含む。界面活性剤系は、直鎖状アルキルベンゼンスルホネート界面活性剤（ＬＡＳ）を含む。界面活性剤系の界面活性剤は、合成由来、天然由来、又はこれらの混合物であってもよい。界面活性剤系の界面活性剤は、石油、廃棄物（プラスチック廃棄物など）、又は再生可能資源に由来してもよい。
【００４８】
界面活性剤系は、１種類の界面活性剤（例えば、ＬＡＳ）からなってもよい。界面活性剤系は、複数の界面活性剤を含んでもよい。特に、洗濯洗剤（重質液体洗濯洗剤など）は、ＬＡＳ及び少なくとも第２の界面活性剤を含む、界面活性剤系を含んでもよい。界面活性剤系は、アルキルエトキシル化サルフェート（ＡＥＳ）、非イオン性エトキシル化アルコール、アルキルエトキシル化カルボキシレート（ＡＥＣ）、又はこれらの混合物から選択されてもよい、第２の界面活性剤を含んでもよい。
【００４９】
本開示の組成物は、組成物の約１重量％〜約９０重量％、又は約１重量％〜約８０重量％、又は約１重量％〜約７０重量％、又は約２重量％〜約６０重量％、又は約５重量％〜約５０重量％の界面活性剤系を含んでもよい。液体組成物は、組成物の約５重量％〜約４０重量％の界面活性剤系を含んでもよい。密な配合物、例えば密な、液体、ゲル、及び／又は単位用量形態に好適な組成物は、組成物の約２５重量％〜約９０重量％、又は約２５重量％〜約７０重量％、又は約３０重量％〜約５０重量％の界面活性剤系を含んでもよい。
【００５０】
１．直鎖状アルキルベンゼンスルホネート（ＬＡＳ）界面活性剤
本開示の処理組成物及び界面活性剤系は、別名「ＬＡＳ」として知られている、直鎖状アルキルベンゼンスルホネート界面活性剤を含んでもよい。ＬＡＳは、様々なクリーニング用途、及び洗濯洗剤などの製品に使用される、一般的なアニオン性界面活性剤である。
【００５１】
ＬＡＳ界面活性剤は、直鎖、又は直鎖状の配置でアルキル基を有する。直鎖状アルキル基は、典型的には、環境上の理由から分枝状基よりも好ましい。
【００５２】
アルキル基は、重量平均として、約９個〜約１５個の炭素原子、又は約１１個〜約１４個、又は約１１個〜約１３個、又は約１１個〜約１２個、又は約１１．８個の炭素原子を有してもよい。最後の場合、材料について、Ｃ１１．８ＬＡＳと略してもよい。
【００５３】
ＬＡＳとしては、２−フェニルアルキルベンゼンスルホネートを挙げることができ、この場合、ベンゼン環が、実質的に直鎖状の鎖の末端炭素に隣接する炭素原子でアルキル基と結合している。したがって、ベンゼン環に結合している炭素原子は、２−フェニルアルキルベンゼン中に、メチル基及びそれに結合している別のアルキル基を有する。スルホネート基は、アルキル基に対してパラ位にてベンゼン環に結合していることが最も一般的であり、好ましい。ＬＡＳは、少なくとも１５％の２−フェニルＬＡＳ異性体、又は少なくとも２０％の２−フェニル異性体を含んでもよい。
【００５４】
ＬＡＳは、酸形態（ＨＬＡＳと呼ばれる）及び／又は塩形態であってもよい。好適な塩は、アルカリ金属水酸化物、アルカリ土類水酸化物、水酸化アンモニウム、アルキルアンモニウム水酸化物、モノエタノールアミンなどのアルカノールアミン、又は直鎖状アルキルベンゼンスルホネートと反応して水溶性直鎖状アルキルベンゼンスルホネートを形成する、当業者に公知の任意の他の化学剤から、形成されてもよい。ＬＡＳの、アルカリ金属塩、典型的にはナトリウム及び／又はアルカノールアミン塩、典型的にはモノエタノールアミンが好ましい場合がある。
【００５５】
ＬＡＳは、事前中和、例えば、本開示のオリゴアミンと組み合わせる前に中和することが望ましい場合がある。これは、ｐＨ制御の改善のため、及び／又はオリゴアミンの悪臭制御性能の改善のために、好ましい場合がある。
【００５６】
直鎖状アルキルベンゼンは、典型的には、主に使用する触媒系によって、互いに異なる３つの商用プロセスのうちの１つを使用して工業規模で製造されている。１つのプロセスでは、三塩化アルミニウム触媒を使用し、別のプロセスでは、フッ化水素触媒を使用し、第３のプロセスでは、ＤＥＴＡＬ（商標）として知られる固体アルキル化触媒を使用する。好適なアルキルベンゼンスルホネート（ＬＡＳ）は、市販の直鎖状アルキルベンゼン（ＬＡＢ）をスルホン化することによって得ることができる。好適なＬＡＢとしては、Ｓａｓｏｌにより商標名Ｉｓｏｃｈｅｍ（登録商標）で供給されているもの、又はＰｅｔｒｅｓａにより商標名Ｐｅｔｒｅｌａｂ（登録商標）で供給されているものなどの低２−フェニルＬＡＢが挙げられる。他の好適なＬＡＢとしては、Ｓａｓｏｌにより商標名Ｈｙｂｌｅｎｅ（登録商標）で供給されているものなどの高２−フェニルＬＡＢが挙げられる。
【００５７】
界面活性剤系は、界面活性剤系の少なくとも約５重量％、又は少なくとも約１０重量％、又は少なくとも約２０重量％、又は少なくとも約２５重量％、又は少なくとも約３０重量％、又は少なくとも約４０重量％、又は少なくとも約５０重量％、又は少なくとも約６０重量％、又は少なくとも約７０重量％、又は少なくとも約７５重量％、又は少なくとも約８０重量％、又は少なくとも約９０重量％、又は更に約１００重量％のＬＡＳを含んでもよい。界面活性剤系は、界面活性剤系の約９５重量％以下、又は約９０重量％以下、又は約８０重量％以下、又は約７５重量％以下、又は約７０重量％以下、又は約６０重量％以下、又は約５０重量％以下、又は約４０重量％以下、又は約３０重量％以下、約２５重量％以下、又は約２０重量％以下、又は約１５重量％以下、又は約１０重量％以下のＬＡＳを含んでもよい。
【００５８】
処理組成物は、処理組成物の約１重量％、又は約２重量％、又は約３重量％、又は約５重量％、又は約８重量％、又は約１０重量％、又は約１５重量％、又は約２０重量％から、約６０重量％、又は約５０重量％、又は約４０重量％、又は約３０重量％、又は約２５重量％、又は約２０重量％までのＬＡＳを含んでもよい。
【００５９】
２．アルキルエトキシル化サルフェート
本開示の処理組成物及び／又は界面活性剤系は、アルキルエトキシル化サルフェート（ＡＥＳ）界面活性剤を含んでもよい。第２の界面活性剤は、ＡＥＳを含んでもよい。
【００６０】
ＡＥＳは、アルキルエーテルサルフェート、アルキルポリエトキシル化サルフェート、又はエトキシル化アルキルサルフェートとも呼ばれ、これには、水溶性塩、特にその分子構造中に約８個〜約３０個の炭素原子を有するアルキル基並びにスルホン酸及びその塩を有する有機硫黄反応生成物の、アルカリ金属塩、アンモニウム塩、及びアルキロールアンモニウム塩が挙げられる。用語「アルキル」には、アシル基のアルキル部分が含まれてもよい。
【００６１】
ＡＥＳのアルキル基は、約８個〜約３０個、又は約１０個〜約１８個、又は約１２個〜約１６個の炭素原子を有してもよい。ＡＥＳ界面活性剤は、アルキルエーテルサルフェートの混合物であってもよく、この混合物は、約１２個〜３０個の炭素原子の範囲内の平均（算術平均）炭素鎖長（重量基準）、いくつかの例では、約１２個〜１５個の炭素原子の平均炭素鎖長を有する。
【００６２】
ＡＥＳは、約１モルから、約８モル、又は約６モル、又は約５モル、又は約４モル、又は約３モルまでのエチレンオキシドの、平均（算術平均）エトキシル化度を有してもよい。ＡＥＳは、約１．８モル〜約２．５モルのエチレンオキシドの平均（算術平均）エトキシル化度を有してもよい。アルキルエーテルサルフェート界面活性剤は、ピークのあるエトキシレート分布を有してもよい。
【００６３】
ＡＥＳは、約１０個の炭素原子〜約１８個の炭素原子の平均炭素鎖長、及び約１〜約６モルのエチレンオキシドの平均エトキシル化度を有してもよい。好適なＡＥＳ界面活性剤は、約１２個〜約１５個の炭素原子、好ましくは約１３個〜約１５個の炭素原子の平均炭素鎖長、及び約１〜約３モルのエチレンオキシド、好ましくは約１．５〜約２．５モルのエチレンオキシドの平均エトキシル化度を有してもよい。
【００６４】
ＬＡＳ及びＡＥＳは、ある重量比で存在してもよい。ＬＡＳとＡＥＳとの重量比は、約１０：９０〜約９９：１、又は約５０：５０〜約９９：１、又は約５０：５０〜約９０：１０、又は約８０：２０〜約９０：１０であってもよい。
【００６５】
処理組成物は、ＡＥＳを実質的に含まなくてもよい。
【００６６】
３．非イオン性エトキシル化アルコール
本開示の処理組成物及び界面活性剤系は、非イオン性エトキシル化アルコールを含んでもよい。第２の界面活性剤としては、非イオン性エトキシル化アルコールを挙げることができる。
【００６７】
非イオン性エトキシル化アルコールは、式Ｒ（ＯＣ２Ｈ４）ｎＯＨ［式中、Ｒは、平均して約８個〜１８個、又は１０個〜約１６個の炭素原子を有する脂肪族炭化水素基からなる群から選択され、ｎの平均値は、約５〜１５、又は約６〜約１０、又は約７〜約９である］のものであってもよい。この種類の好適な材料としては、Ｃ８〜Ｃ１８アルキルエトキシレート、例えば、Ｓｈｅｌｌ製のＮＥＯＤＯＬ（登録商標）非イオン性界面活性剤を挙げることができる。
【００６８】
ＬＡＳ及び非イオン性エトキシル化アルコールは、ある重量比で存在してもよい。ＬＡＳと非イオン性エトキシル化アルコール界面活性剤との重量比は、約１０：９０〜約９９：１、又は約５０：５０〜約９９：１、又は約５０：５０〜約９０：１０、又は約８０：２０〜約９０：１０であってもよい。
【００６９】
処理組成物は、非イオン性エトキシル化アルコール界面活性剤を実質的に含まなくてもよい。
【００７０】
４．アルキルエトキシル化カルボキシレート
本開示の処理組成物及び界面活性剤系は、アルキルエーテルカルボキシレートとも呼ばれる、アルキルエトキシル化カルボキシレート（ＡＥＣ）界面活性剤を含んでもよい。第２の界面活性剤としては、ＡＥＣを挙げることができる。
【００７１】
ＡＥＣ界面活性剤は、一般式Ｒ２−（ＯＣＨ２ＣＨ２）ｎ−ＯＣＨ２ＣＯＯＨ［式中、Ｒ２はアルキル鎖、好ましくは重量平均で約１０個〜２０個の炭素原子を有すアルキル鎖であり、ｎは重量平均で１〜１５、又は３〜１１である］を有してもよい。アルキル鎖は、直鎖状又は分枝状、好ましくは直鎖状であってもよい。アルキル鎖は、脂肪族であってもよく、又は１つのシス若しくはトランス二重結合を有してもよい。アルキル鎖（例えば、Ｒ２）は、ＣＨ３（ＣＨ２）１１、ＣＨ３（ＣＨ２）１３、ＣＨ３（ＣＨ２）１５、ＣＨ３（ＣＨ２）１７、及びＣＨ３（ＣＨ２）７ＣＨ＝（ＣＨ２）８から選択されてもよい。
【００７２】
ＡＥＣ界面活性剤は、酸／プロトン化形態、塩形態、又はその両方で存在してもよい。好適な塩は、ナトリウム塩及び／又はアミン塩であってもよい。ＡＥＣは、少なくとも部分的に、事前中和されていてもよい。ＡＥＣの重量は、プロトン化形態として計算される。
【００７３】
アルキルエーテルカルボン酸は、花王（Ａｋｙｐｏ（登録商標））、Ｈｕｎｔｓｍａｎ（Ｅｍｐｉｃｏｌ（登録商標））及びＣｌａｒｉａｎｔ（Ｅｍｕｌｓｏｇｅｎ（登録商標））、並びにＳａｓｏｌ（Ｍａｒｌｏｗｅｔ（登録商標））から入手可能である。Ｃ１２〜Ｃ１４アルコールポリエチレングリコールエーテルカルボン酸の例は、Ｓａｓｏｌから市販のＭａｒｌｏｗｅｔ  ４５４１である。アルキルエーテルカルボキシレートのナトリウム塩を使用してもよい。
【００７４】
ＬＡＳ及びＡＥＣは、ある重量比で存在してもよい。ＬＡＳとＡＥＣとの重量比は、約５０：５０超〜約９９：１、又は約６０：４０〜約９５：５、又は約７５：２５〜約９０：１０であってもよい。
【００７５】
処理組成物は、ＡＥＣ界面活性剤を実質的に含まなくてもよい。
【００７６】
５．他の界面活性剤
処理組成物及び界面活性剤系は、任意の他の好適な界面活性剤を含んでもよい。第２の界面活性剤は、任意の他の好適な界面活性剤を含んでもよい。
【００７７】
他の好適な界面活性剤としては、双性イオン性界面活性剤を挙げることができる。双性イオン性界面活性剤としては、アルキルジメチルベタイン及びココジメチルアミドプロピルベタインをはじめとするベタイン、Ｃ８〜Ｃ１８（例えば、Ｃ１２〜Ｃ１８）アミンオキシド（例えば、Ｃ１２〜１４ジメチルアミンオキシド）、並びに／又は、Ｎ−アルキル−Ｎ，Ｎ−ジメチルアミノ−１−プロパンスルホネート（アルキル基は、Ｃ８〜Ｃ１８又はＣ１０〜Ｃ１４であってもよい）などのスルホ及びヒドロキシベタインなどの、任意の従来の双性イオン性界面活性剤を挙げることができる。双性イオン性界面活性剤としては、アミンオキシドを挙げることができる。
【００７８】
他の好適な界面活性剤としては、直鎖状又は分枝状であってもよい、他のアニオン性界面活性剤を挙げることができる。他のアニオン性界面活性剤としては、Ｃ８〜Ｃ２０高級脂肪族アルコールのサルフェート化により製造されるものなどの、非アルコキシル化アルキルサルフェートを挙げることができる。他の好適なアニオン性界面活性剤としては、メチルエステルスルホネート、パラフィンスルホネート、α−オレフィンスルホネート、内部オレフィンスルホネート、及びこれらの混合物を挙げることができる。他のアニオン性界面活性剤としては、中鎖分枝状アルキルサルフェート及び／又は中鎖分枝状アルキルベンゼンスルホネートなどの、中鎖分枝状アニオン性界面活性剤、例えば、中鎖分枝状アニオン性洗浄性界面活性剤を挙げることができる。他のアニオン性界面活性剤としては、オキソプロセスから誘導されたものなどの、２−アルキル分枝一級アルキルサルフェートを挙げることができ、このような材料は、Ｓａｓｏｌから、例えば、商品名ＬＩＡＬ（登録商標）及びＩＳＡＬＣＨＥＭ（登録商標）（分画化プロセスによってＬＩＡＬ（登録商標）アルコールから調製している）で市販されている。Ｃ１４／Ｃ１５分枝状一級アルキルサルフェートも市販されており、例えば、すなわち、ＬＩＡＬ（登録商標）１４５サルフェートである。オリゴアミン中の総アニオン性界面活性剤とプロトン化可能なアミンとのモル比は、約１５：１未満であってもよい。このような場合、オリゴアミンは、式Ｉ［式中、添字ｎは、２〜５の整数である］による構造を有してもよい。
【００７９】
他の好適な界面活性剤としては、アルコキシレート単位がエチレンオキシ単位、プロピレンオキシ単位、又はこれらの混合物であってもよい、Ｃ６〜Ｃ１２アルキルフェノールアルコキシレート；Ｃ１２〜Ｃ１８アルコール、及びエチレンオキシド／プロピレンオキシドブロックポリマーとのＣ６〜Ｃ１２アルキルフェノール縮合物、例えば、ＢＡＳＦ製のＰｌｕｒｏｎｉｃ（登録商標）；Ｃ１４〜Ｃ２２中鎖分枝状アルコール、ＢＡ；Ｃ１４〜Ｃ２２中鎖分枝状アルキルアルコキシレート、ＢＡＥｘ［式中、ｘは１〜３０である］；アルキル多糖類；具体的にはアルキルポリグリコシド；ポリヒドロキシ脂肪酸アミド、並びにエーテルキャップ化ポリ（オキシアルキル化）アルコール界面活性剤などの、他の非イオン性界面活性剤が挙げられる。
【００８０】
他の好適な界面活性剤としては、最高２６個の炭素原子を有してもよい、四級アンモニウム界面活性剤などのカチオン性界面活性剤を挙げることができ、並びに、アルコキシレート四級アンモニウム（ＡＱＡ）界面活性剤、ジメチルヒドロキシエチル四級アンモニウム、及び／又はジメチルヒドロキシエチルラウリルアンモニウムクロリド；ポリアミンカチオン性界面活性剤；カチオン性エステル界面活性剤；アミノ界面活性剤、例えば、アミドプロピルジメチルアミン（ＡＰＡ）；及びこれらの混合物を挙げることができる。
【００８１】
他の好適な界面活性剤としては、脂肪族基が直鎖若しくは分枝鎖状であってもよく、脂肪族置換基のうちの１つが少なくとも約８個の炭素原子若しくは約８個〜約１８個の炭素原子を有し、脂肪族置換基のうちの少なくとも１つがアニオン性水可溶化基、例えば、カルボキシ、スルホネート、サルフェートを有する、二級若しくは三級アミンの脂肪族誘導体又は複素環式二級及び三級アミンの脂肪族誘導体などの、両性界面活性剤を挙げることができる。好適な両性界面活性剤としてはまた、サルコシネート、グリコシネート、タウリネート、及びこれらの混合物も挙げることができる。
【００８２】
追加の処理補助剤
本開示の処理組成物は、１つ以上の追加の処理補助剤を含んでもよい。追加の処理補助剤は、布地又は他の織物などの標的表面に処理効果をもたらすのに好適な場合がある。本明細書で使用するとき、処理補助剤としてはまた、緩衝液、構造化剤／増粘剤、及び／又は担体などの、処理組成物における化学的又は物理的安定性を促進する剤も挙げることができる。
【００８３】
処理補助剤は、組成物の意図する使用に好適な濃度で組成物中に存在してもよい。典型的な使用濃度は、光学的増白剤などの補助剤についての組成物の０．００１重量％から、ビルダー／キレート剤についての組成物の５０重量％に及ぶ。
【００８４】
処理補助剤としては、酸化防止剤、色調剤、光学的増白剤、追加のキレート剤、酵素、脂肪酸及び／又はその塩、カプセル化有益剤、汚れ放出ポリマー、ビルダー、移染防止剤、分散剤、酵素安定剤、触媒材料、漂白剤、漂白触媒、漂白活性化剤、ポリマー分散剤、汚れ除去／再付着防止剤、ポリマー脂クリーニング剤、両親媒性コポリマー、抑泡剤、審美染料、香料（カプセル化香料など）、構造弾性化剤、布地柔軟剤、担体、充填剤、ヒドロトロープ、溶媒、抗菌剤及び／又は防腐剤、中和剤及び／又はｐＨ調整剤、加工助剤、充填剤、レオロジー調整剤又は構造化剤、乳白剤、真珠光沢剤、顔料、防食及び／又は耐変色剤、消泡剤、塩素捕捉剤、並びにこれらの混合物を挙げることができる。
【００８５】
処理補助剤としては、酸化防止剤、色調剤若しくは光学的増白剤などの白化剤若しくは増白剤、追加のキレート剤、酵素、又はこれらの混合物を挙げることができる。追加の補助剤としては、カプセル化有益剤を挙げることができ、これは、カプセル化香料であってもよく、好ましくは、このカプセル化香料は、コアを包むシェルを含み、好ましくは、シェルは、アミン化合物及び／又はアクリレートポリマーを含む。
【００８６】
いくつかの処理補助剤について、以下に更に詳細に論じる。
【００８７】
布地コンディショニング活性物質
本開示の処理組成物は、布地コンディショニング活性物質（ＦＣＡ）を含んでもよい。液体布地強化組成物などのこのような活性物質を含む組成物は、柔軟性、しわ防止、静電防止、コンディショニング、伸び防止、色及び／又は外観効果をはじめとする、様々な効果を標的布地にもたらすのに有用な場合がある。本開示の組成物に好適な布地コンディショニング活性物質（ＦＣＡ）としては、四級アンモニウムエステル化合物、シリコーン、非エステル四級アンモニウム化合物、アミン、脂肪族エステル、スクロースエステル、シリコーン、分散性ポリオレフィン、多糖類、脂肪酸、柔軟オイル若しくはコンディショニングオイル、ポリマーラテックス、又はこれらの組み合わせを挙げることができる。
【００８８】
酸化防止剤
本開示の組成物は、酸化防止剤を含んでもよい。理論に束縛されるものではないが、酸化防止剤は、特に本開示のオリゴアミンと組み合わせて、組成物の悪臭制御及び／又はクリーニング性能を改善するのに役立てることができると考えられる。また、酸化防止剤は、アミンに関連する場合がある黄変を低減するのにも役立てることができるので、アミンを比較的高濃度で配合することが可能になる。酸化防止剤は、Ｋｉｒｋ−Ｏｔｈｍｅｒ（第３巻、４２４ページ）及びＵｌｌｍａｎｎのＥｎｃｙｃｌｏｐｅｄｉａ（第３巻、９１ページ）に記載されているような物質である。
【００８９】
本開示の組成物は、組成物の約０．００１重量％〜約２重量％、好ましくは約０．０１重量％〜約０．５重量％の量で、酸化防止剤、好ましくはヒンダードフェノール酸化防止剤を含んでもよい。
【００９０】
好適な酸化防止剤としては、以下の一般式：
【００９１】
【化３】
2021533244.tif 000004
［式中、Ｒは、Ｃ１〜Ｃ２２直鎖状アルキル又はＣ３〜Ｃ２２分枝状アルキルであり、各々、（１）任意選択的に、その中に１つ以上のエステル（−ＣＯ２−）又はエーテル（−Ｏ−）結合を有し、（２）任意選択的に、ＥＯ（エトキシ）、ＰＯ（プロポキシ）、ＢＯ（ブトキシ）、及びこれらの混合物から、より好ましくはＥＯ単独又はＥＯ／ＰＯ混合物から選択されるアルキレンオキシ又はポリアルキレンオキシ基を含む有機基によって置換されており、Ｒは、好ましくは、メチル、分枝状Ｃ３〜Ｃ６アルキル、又はＣ１〜Ｃ６アルコキシ、好ましくはメトキシであってよく、Ｒ１は、Ｃ３〜Ｃ６分枝状アルキル、好ましくはｔｅｒｔ−ブチルであり、ｘは、１又は２である］を有するアルキル化フェノールを挙げることができる。
【００９２】
この式を有するアルキル化フェノールの好ましい種類としては、ヒンダードフェノール化合物を挙げることができる。本明細書で使用するとき、用語「ヒンダードフェノール」は、（ａ）少なくとも１つのフェノール−ＯＨ基に対してオルト位に結合している、少なくとも１つのＣ３以上の分枝状アルキル、好ましくはＣ３〜Ｃ６分枝状アルキル、好ましくはｔｅｒｔ−ブチル、又は（ｂ）少なくとも１つのフェノール−ＯＨ基に対して各々オルト位に結合している、Ｃ１〜Ｃ６アルコキシ、好ましくはメトキシ、Ｃ１〜Ｃ２２直鎖状アルキル、若しくはＣ３〜Ｃ２２分枝状アルキル、好ましくはメチル若しくは分枝状Ｃ３〜Ｃ６アルキル、又はこれらの混合物からなる群から独立して選択される置換基、のいずれかを有する、フェノール基を含む化合物を指すために使用される。フェニル環が複数の−ＯＨ基を含む場合、化合物は、少なくとも１つのこのような−ＯＨ基が直前に記載されているように置換されている限りヒンダードフェノールである。上記構造中の任意のＲ基が３つ以上の連続するモノマーを含む場合、酸化防止剤は、本明細書において「ポリマーヒンダードフェノール酸化防止剤」と定義される。本開示による組成物は、ヒンダードフェノール酸化防止剤を含んでもよい。好ましいヒンダードフェノール酸化防止剤としては、３，５−ジ−ｔｅｒｔ−ブチル−４−ヒドロキシトルエン（ＢＨＴ）が挙げられる。
【００９３】
組成物に使用するのに好適な場合があるヒンダードフェノール酸化防止剤の更なる分類は、以下の式：
【００９４】
【化４】
2021533244.tif 000005
［式中、Ｒ１及びＲ２は、各々独立して、アルキルであるか、又はＲ１及びＲ２は一緒になってＣ５〜Ｃ６環状ヒドロカルビル部分を形成してもよく、Ｂは、存在しないか又はＣＨ２であり、Ｒ４は、Ｃ１〜Ｃ６アルキルであり、Ｒ５は、水素又は−Ｃ（Ｏ）Ｒ３であり、Ｒ３は、水素又はＣ１〜Ｃ１９アルキルであり、Ｒ６は、Ｃ１〜Ｃ６アルキルであり、Ｒ７は、水素又はＣ１〜Ｃ６アルキルであり、Ｘは、−ＣＨ２ＯＨ又は−ＣＨ２Ａであり、Ａは、窒素含有単位、フェニル、又は置換フェニルである］を有するベンゾフラン又はベンゾピラン誘導体である。好ましい窒素含有Ａ単位としては、アミノ、ピロリジノ、ピペリジノ、モルホリノ、ピペラジノ、及びこれらの混合物が挙げられる。
【００９５】
好適なヒンダードフェノール酸化防止剤としては、２，６−ビス（１，１−ジメチルエチル）−４−メチル−フェノール、３，５−ビス（１，１−ジメチルエチル）−４−ヒドロキシ−ベンゼンプロパン酸、メチルエステル、３，５−ビス（１，１−ジメチルエチル）−４−ヒドロキシベンゼンプロパン酸、オクタデシルエステル、又はこれらの混合物を挙げることができる。
【００９６】
好適な場合がある市販の酸化防止剤としては、ＢＨＴ、ＲＡＬＯＸ  ３５（商標）、及び／又はＴＩＮＯＧＡＲＤ  ＴＳ（商標）が挙げられる。
【００９７】
追加の酸化防止剤を使用してもよい。組成物に使用するのに好適な酸化防止剤の例としては、α−、β−、γ−、δ−トコフェロール、エトキシキン、２，２，４−トリメチル−１，２−ジヒドロキノリン、２，６−ジ−ｔｅｒｔ−ブチルヒドロキノン、ｔｅｒｔ−ブチルヒドロキシアニソール、リグノスルホン酸及びその塩、並びにこれらの混合物からなる群が挙げられるが、これらに限定されない。エトキシキン（１，２−ジヒドロ−６−エトキシ−２，２，４−トリメチルキノリン）は、Ｒａｓｃｈｉｇ（商標）カンパニーによりＲａｌｕｑｕｉｎ（商標）という名称で販売されていることに留意されたい。組成物に使用してもよい酸化防止剤の他の種類は、６−ヒドロキシ−２，５，７，８−テトラメチルクロマン−２−カルボン酸（Ｔｒｏｌｏｘ（商標））及び１，２−ベンゾイソチアゾリン−３−オン（Ｐｒｏｘｅｌ  ＧＸＬ（商標））である。トコフェロールソルベート、ブチル化ヒドロキシル安息香酸及びその塩、没食子酸及びそのアルキルエステル、尿酸及びその塩、ソルビン酸及びその塩、並びにジヒドロキシフマル酸及びその塩などの酸化防止剤も有用な場合がある。他の有用な酸化防止剤としては、ガロタンニン、エラジタンニン、複合タンニン、縮合型タンニン、及びこれらの組み合わせからなる群から選択されるタンニンなどの、タンニンを挙げることができる。
【００９８】
非黄変ヒンダードフェノール酸化防止剤などの非黄変酸化防止剤の使用が好ましい場合がある。消費者体験において知覚可能な負の属性（例えば、布地への黄色副生成物の付着など）につながる場合、このような黄色副生成物を形成する酸化防止剤を回避してもよい。当業者は、使用する酸化防止剤の選択に関して情報を得た上で決定を行うことができる。
【００９９】
白化剤／増白剤
本開示の追加の処理補助剤としては、白化剤又は増白剤を挙げることができる。このような剤は、色調剤、光学的増白剤、又はこれらの混合物から選択されてもよい。このような剤の使用により、変色又は黄変の影響を更に低減することができ、より高い濃度でのオリゴアミンの配合を可能にすることができる。
【０１００】
本開示の組成物は、色調剤を含んでもよい。驚くべきことに、本開示によるグラフトポリマーにより、標的の布地上への色調剤の付着及び／又は標的の布地に対する色調剤の性能にほとんど影響を及ぼさずに、褪せやすい染料の移動を防止することができることが、見出された。
【０１０１】
色調剤（場合により色調染料、布地補色染料、又は青味剤若しくは白化剤と呼ばれる）は、典型的には、青色又は紫色の色合いを布地に与える。このような剤は当該技術分野で周知であり、単独又は組み合わせのいずれかで使用されて、特定の色相の色合いを作り出すことができ、及び／又は様々な種類の布地に色合いをつけることができる。色調剤は、当該技術分野において公知の任意の好適な化学分類の染料から選択されてもよく、それには、アクリジン、アントラキノン（多環式キノンをはじめとするもの）、アジン、アゾ（例えば、モノアゾ、ジスアゾ、トリスアゾ、テトラキスアゾ、ポリアゾ）、ベンゾジフラン、ベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ、ニトロソ、オキサジン、フタロシアニン、ピラゾール、スチルベン、スチリル、トリアリールメタン、トリフェニルメタン、キサンテン、及びこれらの混合物が挙げられるが、これらに限定されない。色調剤は、アゾの剤、トリアリールメタンの剤、トリフェニルメタンの剤、又はこれらの混合物から選択されてもよい。
【０１０２】
好適な色調剤としては、小分子染料、ポリマー染料などの布地補色染料、及び染料クレイ結合体が挙げられる。好ましい布地補色染料は、小分子染料及びポリマー染料から選択される。好適な小分子染料は、カラーインデックス（Ｃ．Ｉ．，Ｓｏｃｉｅｔｙ  ｏｆ  Ｄｙｅｒｓ  ａｎｄ  Ｃｏｌｏｕｒｉｓｔｓ，（Ｂｒａｄｆｏｒｄ，ＵＫ））分類の酸性染料、直接染料、塩基性染料、反応染料、溶剤染料、又は分散染料に該当する染料からなる群から選択されてもよい。
【０１０３】
好適なポリマー染料としては、共有結合した（結合したと呼ぶこともある）色原体（染料ポリマー結合体とも呼ばれるもの）を含有するポリマー、例えば、ポリマーの主鎖中に共重合した色原体モノマーを有するポリマー及びこれらの混合物からなる群から選択される染料が挙げられる。好ましいポリマー染料は、アルコキシル化トリフェニルメタンポリマー着色剤、アルコキシル化炭素環アゾ着色剤、及びアルコキシル化チオフェンポリマー着色剤をはじめとするアルコキシル化複素環アゾ着色剤、並びにこれらの混合物などの任意選択的に置換されたアルコキシル化染料を含み、Ｌｉｑｕｉｔｉｎｔ（登録商標）（Ｍｉｌｌｉｋｅｎ，Ｓｐａｒｔａｎｂｕｒｇ（Ｓｏｕｔｈ  Ｃａｒｏｌｉｎａ，ＵＳＡ））の名称で販売の布地染色性着色剤（fabric-substantive colorants）などがある。
【０１０４】
好適な染料クレイ結合体としては、少なくとも１つのカチオン染料／塩基性染料及びスメクタイトクレイを含む群から選択される染料クレイ結合体が挙げられ、好ましいクレイは、モンモリロナイトクレイ、ヘクトライトクレイ、サポナイトクレイ、及びこれらの混合物からなる群から選択されてもよい。
【０１０５】
顔料は、当該技術分野で周知であり、これもまた、本明細書に開示の布地ケア組成物中で色調剤として使用されてもよい。好適な顔料としては、Ｃ．Ｉ  Ｐｉｇｍｅｎｔ  Ｂｌｕｅｓ  １５〜２０、特に１５及び／又は１６、Ｃ．Ｉ．Ｐｉｇｍｅｎｔ  Ｂｌｕｅ  ２９、Ｃ．Ｉ．Ｐｉｇｍｅｎｔ  Ｖｉｏｌｅｔ  １５、Ｍｏｎａｓｔｒａｌ  Ｂｌｕｅ、並びにこれらの混合物を挙げることができる。
【０１０６】
本発明の洗濯ケア組成物中に存在する補助色調剤の量は、総クリーニング組成物に基づいて、０．０００１重量％〜０．０５重量％、好ましくは０．０００１重量％〜０．００５重量％であってもよい。洗浄液に基づいて、色調剤の濃度は、１ｐｐｂ〜５ｐｐｍ、好ましくは１０ｐｐｂ〜５００ｐｐｂであってもよい。
【０１０７】
本開示の組成物は、光学的増白剤を含んでもよい。増白剤は、場合により蛍光白化剤とも呼ばれ、少なくともいくらかの可視光を発光することができる。
【０１０８】
本明細書で使用してもよい市販の光学的増白剤は、スチルベン、ピラゾリン、クマリン、カルボン酸、メチンシアニン、ジベンゾチフェン（dibenzothiphene）−５，５−ジオキシド、アゾール、５及び６員複素環、並びに他の様々な剤の誘導体が挙げられるが必ずしもこれらに限定されない副群に分類することができる。増白剤は、粒子状の形態で、又は好適な溶剤、例えば非イオン性界面活性剤、モノエタノールアミン、及び／又はプロパンジオールとのプレミックスとして、添加されてもよい。
【０１０９】
好適な蛍光増白剤としては、４，４’−ビス｛［４−アニリノ−６−モルホリノ−ｓ−トリアジン−２−イル］−アミノ｝−２，２’−スチルベンジスルホン酸二ナトリウム（増白剤１５、ＢＡＳＦにより商標名Ｔｉｎｏｐａｌ  ＡＭＳ−ＧＸで市販されている）；４，４’−ビス｛［４−アニリノ−６−（Ｎ−２−ビス−ヒドロキシエチル）−ｓ−トリアジン−２−イル］−アミノ｝−２，２’−スチルベンジスルホン酸二ナトリウム（ＢＡＳＦにより商標名Ｔｉｎｏｐａｌ  ＵＮＰＡ−ＧＸで市販されている）；４，４’−ビス｛［４−アニリノ−６−（Ｎ−２−ヒドロキシエチル−Ｎ−メチルアミノ）−ｓ−トリアジン−２−イル］−アミノ｝−２，２’−スチルベンジスルホン酸二ナトリウム（ＢＡＳＦにより商標名Ｔｉｎｏｐａｌ  ５ＢＭ−ＧＸで市販されている）；及び／又は、４，４’−ビス（（４−アミノ−６−アニリノ−１，３，５−トリアジン−２−イル）アミノ）スチルベン−２，２’−ジスルホン酸二ナトリウム（増白剤４９）を挙げることができる。増白剤は、増白剤４９、増白剤１５、増白剤３、又はこれらの混合物であってもよい。
【０１１０】
追加のキレート剤
本開示の追加の処理補助剤は、追加のキレート剤（キーラント（chelant）又はキレーターとも呼ばれる）を含んでもよい。追加のキレート剤は、オリゴアミンが親和性を有する金属イオンとは異なる、金属イオンに対する親和性を有するように選択されてもよい。例えば、ＤＥＴＡ、本開示によるオリゴアミンは、銅イオンに対して特定の親和性を有し、他方、ＤＴＰＡ、異なるキレート剤は、カルシウムイオンに対して特定の親和性を有する。したがって、キレート剤の組み合わせを有する組成物により、広範囲の金属イオン封鎖をもたらし、それによって性能の改善をもたらすことができる。クリーニング性能を最適化するために、例えば、酵素安定性を維持しながら組成物の配合におけるキレート剤充填量を改善／最大化することによって、本開示のオリゴアミンなどの銅キレート剤を、ＤＴＰＡ及び／又はＨＥＤＰなどのカルシウムキレート剤と結合することが好ましい場合がある。
【０１１１】
追加のキレート剤は、組成物の約０．１重量％から、約１０重量％、又は約５重量％、又は約２重量％までの濃度で存在してもよい。オリゴアミン及び追加のキレート剤は、処理組成物の約０．１重量％から約１０重量％まで、好ましくは約５重量％までの合計濃度で、処理組成物中に存在してもよい。オリゴアミンと追加のキレート剤との重量比は、約１０：１〜約１：５０、又は約２：１〜約１：２５、又は約１：１〜約１：２５、又は約１：２〜約１：２０であってもよい。オリゴアミンの重量基準の存在量は、追加のキレート剤の重量基準の存在量より少なくてもよい。
【０１１２】
好適な追加のキレート剤としては、ホスホネート、アミノカルボキシレート、有機ホスホネート、多官能置換芳香族キレート剤、又はこれらの混合物、好ましくはアミノカルボキシレートを挙げることができる。
【０１１３】
キレート剤として有用なアミノカルボキシレートとしては、エチレンジアミン四酢酸、Ｎ−（ヒドロキシエチル）エチレンジアミン三酢酸、ニトリロ三酢酸、エチレンジアミンテトラプロピオネート、トリエチレンテトラアミン六酢酸、ジエチレントリアミン五酢酸、及びエタノールジグリシン、アルカリ金属塩、アンモニウム塩、及びこれらの置換アンモニウム塩、並びにこれらの混合物が挙げられるが、これらに限定されない。有機ホスホネートはまた、低濃度の総リンが許容される場合、本発明の組成物におけるキレート剤としての使用に好適であり、これには、Ｍｏｎｓａｎｔｏから商標名ＤＥＱＵＥＳＴで入手可能なエチレンジアミンテトラキス（メチレンホスホネート）、ジエチレントリアミンペンタ（メチレンホスホネート）、エチレンジアミントリ（メチレンホスホネート）、ヘキサメチレンジアミンテトラ（メチレンホスホネート）、α−ヒドロキシ−２−フェニルエチルジホスホネート、メチレンジホスホネート、ヒドロキシ１，１−ヘキシリデン、ビニリデン１，１−ジホスホネート、１，２−ジヒドロキシエタン１，１−ジホスホネート、及びヒドロキシ−エチレン１，１−ジホスホネートが挙げられ；ホスホネートは、６個超の炭素原子を有するアルキル基又はアルケニル基を有していなくてもよい。多官能置換芳香族キレート剤としては、カテコール、例えばスルホン化カテコールを挙げることができる。
【０１１４】
追加のキレート剤としては、ＤＴＰＡ（ジエチレントリアミン五酢酸）、ＨＥＤＰ（ヒドロキシエタンジホスホン酸）、ＥＤＤＳ（エチレンジアミン二コハク酸（ＥＤＤＳ）、ＤＴＰＭＰ（ジエチレントリアミンペンタ（メチレンホスホン酸））、ＥＤＴＭＰ（エチレンジアミンテトラ（メチレンホスホン酸））、Ｔｉｒｏｎ（登録商標）（１，２−ジヒドロキシベンゼン−３，５−ジスルホン酸）、ＨＰＮＯ（２−ピリジノール−Ｎ−オキシド）、ＭＧＤＡ（メチルグリシン二酢酸）、ＧＬＤＡ（グルタミン酸−Ｎ，Ｎ−二酢酸）、これらの任意の好適な誘導体、これらの塩、及びこれらの混合物を挙げることができる。
【０１１５】
本明細書で使用するとき、クエン酸及びカーボネートなどの既存のビルダーは、キレート剤とは見なされず、百分率濃度又は重量比を決定する際に含めない。
【０１１６】
酵素
本開示の処理組成物は、クリーニング性能及び／又は布地ケア効果をもたらす１つ以上の酵素を含んでもよい。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクテートリアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、アミラーゼ、ヌクレアーゼ（デオキシリボヌクレアーゼ及び／若しくはリボヌクレアーゼなど）、ホスホジエステラーゼ、又はこれらの混合物が挙げられるが、これらに限定されない。プロテアーゼ、アミラーゼ、リパーゼ、セルラーゼ、ホスホジエステラーゼ、及び／又はペクテートリアーゼの混合物が、特に好ましい場合がある。本開示の組成物は、本開示のオリゴアミン、ＤＴＰＡなどのカルシウム結合キレート剤、及びアミラーゼを含んでもよい。
【０１１７】
他の剤
本開示の処理組成物は、溶媒、好ましくは非アミノ官能性有機溶媒などの有機溶媒を含んでもよい。好適な有機溶媒としては、グリセロール、エチレングリコール、１，３プロパンジオール、１，２プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマルジプロピレングリコール、ポリプロピレングリコール、ジプロピレングリコールｎ−ブチルエーテル、及びこれらの混合物を挙げることができる。
【０１１８】
本開示の処理組成物は、塩素捕捉剤を含んでもよい。処理液中の塩素イオン、例えば次亜塩素酸塩漂白剤からの塩素イオン、又は水源中に自然発生する塩素イオンは、褪色又は他の変色の一因になる場合があると考えられる。塩素捕捉剤は、処理液中で少なくとも約１ｐｐｍ、又は少なくとも約２ｐｐｍ、又は少なくとも約５ｐｐｍ、又は少なくとも約１０ｐｐｍの塩素を中和するのに適切な濃度で組み入れられてもよい。塩素捕捉剤としては、アミン（上記オリゴアミン以外）及び／又はアンモニウム塩を挙げることができる。好ましいアミンとしては、一級及び／又は二級アミンを含むものが挙げられ、これには、モノエタノールアミン（ＭＥＡ）、ジエタノールアミン（ＤＥＡ）、及び／又はトリエタノールアミン（ＴＥＡ）などのアルカノールアミンを挙げることができる。
【０１１９】
本開示の処理組成物は、クリーニング及び／又は分散ポリマーを含有してもよく、これにより、クリーニング及び／又は白色度の効果をもたらすことができる。好適なクリーニング及び／又は分散ポリマーとしては、アニオン性若しくは非イオン性であってもよく、及び／又はテレフタレート部分を含んでもよい、ポリマー汚れ放出剤；エトキシル化及び／又はプロポキシル化ポリエチレンイミン（ＰＥＩ６００  ＥＯ２０及び／若しくはＰＥＩ  ＥＯ２４  ＰＯ１６）、エトキシル化ヘキサメチレンジアミン、及びこれらのサルフェート化体などの、アルコキシル化ポリアミン；ポリアクリレートから誘導されたものをはじめとする、アルコキシル化ポリカルボキシレート；ポリエチレングリコール主鎖から誘導され、ポリビニルアセテート、ポリビニルアルコール、又はこれらの混合物から選択される少なくとも１つのペンダント部分を有するものなどの、両親媒性グラフトコポリマー（Ｓｏｋａｌａｎ  ＨＰ２２など）；カルボキシメチルセルロース、メチルセルロース、メチルヒドロキシエチルセルロース、メチルカルボキシメチルセルロース、及びこれらの混合物などの、セルロース系ポリマー；マレエート／アクリレートランダムコポリマー、又はポリアクリレートホモポリマーなどの、カルボキシレートポリマー；又はこれらの混合物を挙げることができる。セルロース系ポリマー及び／又はカルボキシレートポリマーは、液体及びゲルの形態で配合することがより困難な場合があるので、乾燥又は粉末化処理組成物にて特に有用な場合がある。
【０１２０】
特に、主に天然又は持続可能な資源に由来する洗剤が望まれる場合、特定の補助剤を制限する又は更になくすことが望ましい場合がある。本開示の洗剤組成物は、シリコーン、染料、増白剤、又はこれらの組み合わせを含まなくてもよい。本開示の洗剤組成物は、組成物の５重量％未満、又は３重量％未満、又は１重量％未満のアミン含有化合物を含んでもよく、ただし、アミンオキシド界面活性剤（存在する場合）はアミン含有化合物の総量に含めない。
【０１２１】
本開示の組成物は、セレン化合物を実質的に含まなくてもよい。本開示の組成物は、ハロプロパルギル化合物を実質的に含まなくてもよい。
【０１２２】
組成物の製造方法
本開示は、本明細書に記載のオリゴアミンを含む、布地ケア組成物の製造方法に関する。方法は、本明細書に記載の組成物の成分を、記載の割合で組み合わせること、を含んでもよい。例えば、本開示によるオリゴアミンを提供し、少なくとも１つの追加の処理補助剤と組み合わせて、処理組成物を形成してもよい。
【０１２３】
本開示による液体組成物は、従来の方法に従って、例えば、バッチプロセス又は連続ループプロセスで製造してもよい。
【０１２４】
本開示による固体組成物は、従来の方法に従って、例えば、噴霧乾燥プロセス又は粒凝化プロセスで製造してもよい。
【０１２５】
本明細書に記載の洗剤組成物をパウチ、好ましくは水溶性フィルムで作製されたパウチに封入して、布地を処理するために使用することができる単位用量物品を形成することができる。パウチは、１つの区画を備えてもよく、又は並べて及び／若しくは重ねておかれてもよい、複数の区画を有してもよい。このような組成物は、比較的少量の水、例えば、洗剤組成物の約２０重量％未満、又は約１５重量％未満、又は約１２重量％未満、又は約１０重量％未満、又は約８重量％未満の水を有することが好ましい場合がある。
【０１２６】
組成物の使用方法
本開示は、本明細書に記載の組成物の使用方法に関する。洗剤組成物は、布地ケア組成物であってもよく、布地又は他の織物などの表面を処理するために使用してもよい。
【０１２７】
表面を処理する方法は、上記のように、表面、好ましくは布地を提供する工程と、表面を本開示による組成物と接触させる工程と、を含んでもよい。方法は、水の存在下で布地を撹拌すること、を含んでもよい。方法は、洗浄又はクリーニングの操作を行う工程、を更に含んでもよい。接触させる工程の前、最中、又は後に、水を添加して、処理液を形成してもよい。水及び／又は処理液は、例えば、約０．１ｐｐｍ〜約２５ｐｐｍの濃度で銅イオン（Ｃｕ２＋）を含んでもよい。
【０１２８】
本開示はまた、本開示による組成物を使用して、布地、好ましくは汚れた布地を、例えば機械によって処理するプロセスであって、本開示による組成物を、処理する布地と接触させる工程と、洗浄、クリーニング、又は布地強化などの処理操作を行う工程と、を含む、プロセスに関する。接触させる工程は、自動洗濯機の洗浄サイクル中、又はすすぎサイクル中に生じてもよい。
【０１２９】
任意の好適な洗濯機、例えば、トップローディング又はフロントローディング自動洗濯機を使用することができる。当業者は、関連の処理操作に好適な機械を認識するであろう。本開示の物品は、布地添加剤、布地柔軟剤、すすぎ助剤などの他の組成物と組み合わせて使用してもよい。更に、本開示の洗剤組成物は、既知の手洗い方法で使用してもよい。
【０１３０】
本開示はまた、布地を処理する方法であって、布地を本明細書に記載の洗剤組成物と接触させる工程と、洗浄工程を行う工程と、次いで、布地を布地柔軟化組成物と接触させる工程と、を含む、方法を目的とすることができる。方法全体、又は少なくとも洗浄工程は、手で行ってもよく、機械で支援してもよく、又は自動洗濯機内で生じてもよい。布地を布地柔軟化組成物と接触させる工程は、例えば、自動洗濯機のすすぎサイクル中に、水の存在下で生じてもよい。
【０１３１】
界面活性剤系の使用
本開示は更に、標的布地などの標的表面に関するオリゴアミンの付着及び／又は悪臭制御特性を改善するための、例えば布地ケア組成物における界面活性剤系の使用に関する。界面活性剤系は、上記でより詳細に記載されているように、直鎖状ベンゼンスルホネート界面活性剤を含む。オリゴアミンについてまた、以下でより詳細に記載する。界面活性剤系は、ＡＥＳ、非イオン性エトキシル化アルコール、ＡＥＣ、又はこれらの混合物を、例えば、上記でより詳細に記載されているようなＬＡＳとの重量比のいずれかで、更に含んでもよい。
【０１３２】
組み合わせ
本開示の具体的に想到される組み合わせを、ここで以下のアルファベットを付した項に記載する。これらの組み合わせは、事実上例示的なものであり、限定的であることを意図したものではない。
【０１３３】
Ａ．オリゴアミン及び／又はその塩と、界面活性剤系とを含む、処理組成物であって、当該オリゴアミンは、当該処理組成物の約０．０１重量％〜３．０重量％の濃度で存在し、当該オリゴアミンは、式Ｉ：
【０１３４】
【化５】
2021533244.tif 000006
［式中、各Ｌは独立して、−（ＣｍＨ２ｍ）−であり、添字ｍは各Ｌについて独立して、２〜６の整数であり、ｎは１〜１０の整数であり、Ｒ１〜Ｒ５の各々は独立して、Ｈ及びＣ１〜Ｃ４アルキルから選択される］による構造を有し、当該界面活性剤系は、直鎖状アルキルベンゼンスルホネート（ＬＡＳ）界面活性剤を含む、処理組成物。
Ｂ．当該オリゴアミンは、当該処理組成物の約０．０１重量％〜約２重量％、又は約０．０２重量％〜約１重量％、又は約０．０３重量％〜約０．５重量％、又は約０．０５重量％〜約０．２重量％の濃度で存在する、項Ａに記載の処理組成物。
Ｃ．添字ｍは、２又は３であり、好ましくは、ｍは、２である、項Ａ又はＢに記載の処理組成物。
Ｄ．ｎは、１〜５、好ましくは１〜３、より好ましくは１又は２、更により好ましくは１の整数である、項Ａ〜Ｃのいずれか一項に記載の処理組成物。
Ｅ．Ｒ１〜Ｒ５の各々は独立して、Ｈ及びＣ１アルキルから選択され、好ましくは、Ｒ１〜Ｒ５のうちの少なくとも１つはＨであり、より好ましくは、Ｒ１〜Ｒ４のうちの少なくとも１つはＨであり、更により好ましくは、全てがＨである、項Ａ〜Ｄのいずれか一項に記載の処理組成物。
Ｆ．当該オリゴアミンは、約１００〜約１２００Ｄａ、又は約１００〜約９００Ｄａ、又は約１００〜約６００Ｄａ、又は約１００〜約４００Ｄａ、又は、好ましくは約１００〜約２５０Ｄａ、より好ましくは約１００〜約２００Ｄａ、更により好ましくは約１００〜約１５０Ｄａの分子量を特徴とする、項Ａ〜Ｅのいずれか一項に記載の処理組成物。
Ｇ．当該処理組成物の約０．０１重量％から、約５重量％、又は約３重量％、又は約２重量％、又は約１重量％、又は約０．７５重量％、又は約０．５重量％、又は約０．４重量％、又は約０．３重量％、又は約０．２重量％、又は約０．１５重量％までの、当該オリゴアミンを含む、項Ａ〜Ｆのいずれか一項に記載の処理組成物。
Ｈ．当該オリゴアミンは、ジエチレントリアミン（ＤＥＴＡ）、４−メチルジエチレントリアミン（４−ＭｅＤＥＴＡ）、ジプロピレントリアミン（ＤＰＴＡ）、５−メチルジプロピレントリアミン（５−ＭｅＤＰＴＡ）、トリエチレンテトラアミン（ＴＥＴＡ）、４−メチルトリエチレンテトラアミン（４−ＭｅＴＥＴＡ）、４，７−ジメチルトリエチレンテトラアミン（４，７−Ｍｅ２ＴＥＴＡ）、１，１，４，７，７−ペンタメチルジエチレントリアミン（Ｍ５−ＤＥＴＡ）、トリプロピレンテトラアミン（ＴＰＴＡ）、テトラエチレンペンタアミン（ＴＥＰＡ）、テトラプロピレンペンタアミン（ＴＰＰＡ）、ペンタエチレンヘキサアミン（ＰＥＨＡ）、ペンタプロピレンヘキサアミン（ＰＰＨＡ）、ヘキサエチレンヘプタアミン（ＨＥＨＡ）、ヘキサプロピレンヘプタアミン（ＨＰＨＡ）、Ｎ，Ｎ’−ビス（３−アミノプロピル）エチレンジアミン、及びこれらの混合物からなる群から選択される、項Ａ〜Ｇのいずれか一項に記載の処理組成物。
Ｉ．当該オリゴアミンは、ジエチレントリアミン（ＤＥＴＡ）、４−メチルジエチレントリアミン（４−ＭｅＤＥＴＡ）、１，１，４，７，７−ペンタメチルジエチレントリアミン（Ｍ５−ＤＥＴＡ）、トリエチレンテトラミン（ＴＥＴＡ）、テトラエチレンペンタアミン（ＴＥＰＡ）、Ｎ，Ｎ’−ビス（３−アミノプロピル）エチレンジアミン、及びこれらの混合物、更により好ましくは、ジエチレントリアミン（ＤＥＴＡ）、４−メチルジエチレントリアミン（４−ＭｅＤＥＴＡ）、Ｎ，Ｎ’−ビス（３−アミノプロピル）エチレンジアミン、及びこれらの混合物からなる群から選択される、項Ａ〜Ｈのいずれか一項に記載の処理組成物。
Ｊ．当該オリゴアミンは、ジエチレントリアミン（ＤＥＴＡ）を含む、項Ａ〜Ｉのいずれか一項に記載の処理組成物。
Ｋ．当該界面活性剤系は、当該界面活性剤系の約５重量％、又は約１０重量％、又は約２０重量％、又は約４０重量％、又は約５０重量％、又は約６０重量％、又は約７０重量％、又は約８０重量％、又は約９０重量％から、約１００重量％までのＬＡＳ界面活性剤を含む、項Ａ〜Ｊのいずれか一項に記載の処理組成物。
Ｌ．当該界面活性剤系は第２の界面活性剤を更に含み、当該第２の界面活性剤は、アルキルエトキシル化サルフェート（ＡＥＳ）、非イオン性エトキシル化アルコール、アルキルエトキシル化カルボキシレート（ＡＥＣ）、又はこれらの混合物を含む、項Ａ〜Ｋのいずれか一項に記載の処理組成物。
Ｍ．当該第２の界面活性剤はＡＥＳを含み、好ましくは、ＬＡＳとＡＥＳとの重量比は、約１０：９０〜約９９：１、又は約５０：５０〜約９９：１、又は約５０：５０〜約９０：１０、又は約８０：２０〜約９０：１０である、項Ａ〜Ｌのいずれか一項に記載の処理組成物。
Ｎ．当該第２の界面活性剤は非イオン性エトキシル化アルコール界面活性剤を含み、好ましくは、ＬＡＳと非イオン性エトキシル化アルコール界面活性剤との重量比は、約１０：９０〜約９９：１、又は約５０：５０〜約９９：１、又は約５０：５０〜約９０：１０、又は約８０：２０〜約９０：１０である、項Ａ〜Ｍのいずれか一項に記載の処理組成物。
Ｏ．当該第２の界面活性剤はアルキルエトキシル化カルボキシレート（ＡＥＣ）を含み、好ましくは、ＬＡＳとＡＥＣとの重量比は、約５０：５０超〜９９：１、又は約６０：４０〜９５：５、又は約７５：２５〜約９０：１０である、項Ａ〜Ｎのいずれか一項に記載の処理組成物。
Ｐ．当該界面活性剤系は、当該処理組成物の約１重量％〜約９０重量％、又は約１重量％〜約８０重量％、又は約１重量％〜約７０重量％、又は約２重量％〜約６０重量％、又は約５重量％〜約５０重量％の濃度で存在する、項Ａ〜Ｏのいずれか一項に記載の処理組成物。
Ｑ．当該界面活性剤系は双性イオン性界面活性剤を更に含み、好ましくは、当該双性イオン性界面活性剤はアミンオキシドを含む、項Ａ〜Ｐのいずれか一項に記載の処理組成物。
Ｒ．当該処理組成物は追加の処理補助剤を含み、好ましくは、当該処理補助剤は、酸化防止剤、色調剤、光学的増白剤、追加のキレート剤、酵素、脂肪酸及び／又はその塩、カプセル化有益剤、汚れ放出ポリマー、ビルダー、移染防止剤、分散剤、酵素安定剤、触媒材料、漂白剤、漂白触媒、漂白活性化剤、ポリマー分散剤、汚れ除去／再付着防止剤、ポリマー脂クリーニング剤、両親媒性コポリマー、抑泡剤、審美染料、香料、構造弾性化剤、布地柔軟剤、担体、充填剤、ヒドロトロープ、溶媒、抗菌剤及び／又は防腐剤、ｐＨ調整剤、加工助剤、充填剤、レオロジー調整剤、構造化剤、乳白剤、真珠光沢剤、顔料、防食剤、耐変色剤、消泡剤、塩素捕捉剤、並びにこれらの混合物から選択される、項Ａ〜Ｑのいずれか一項に記載の処理組成物。
Ｓ．当該追加の処理補助剤は、酸化防止剤、好ましくはヒンダードフェノールを含む酸化防止剤を含む、項Ａ〜Ｒのいずれか一項に記載の処理組成物。
Ｔ．当該追加の処理補助剤は追加のキレート剤を含み、好ましくは、追加のキレート剤は、ホスホネート、アミノカルボキシレート、アミノホスホネート、多官能置換芳香族キレート剤、又はこれらの混合物から選択され、より好ましくは、追加のキレート剤は、ＤＴＰＡ（ジエチレントリアミン五酢酸）、ＨＥＤＰ（ヒドロキシエタンジホスホン酸）、ＥＤＤＳ（エチレンジアミン二コハク酸（ＥＤＤＳ）、ＤＴＰＭＰ（ジエチレントリアミンペンタ（メチレンホスホン酸））、ＥＤＴＭＰ（エチレンジアミンテトラ（メチレンホスホン酸））、Ｔｉｒｏｎ（登録商標）（１，２−ジヒドロキシベンゼン−３，５−ジスルホン酸）、ＨＰＮＯ（２−ピリジノール−Ｎ−オキシド）、ＭＧＤＡ（メチルグリシン二酢酸）、ＧＬＤＡ（グルタミン酸−Ｎ，Ｎ−二酢酸）、これらの任意の好適な誘導体、これらの塩、及びこれらの混合物から選択される、項Ａ〜Ｓのいずれか一項に記載の処理組成物。
Ｕ．当該処理組成物は、布地ケア組成物であり、好ましくは軽質液体洗剤組成物、重質液体洗剤組成物、洗濯洗剤ゲル、漂白組成物、洗濯添加剤、布地強化組成物、及びこれらの混合物から選択される布地ケア組成物であり、より好ましくは重質液体洗剤組成物、布地強化剤組成物、及びこれらの混合物から選択される布地ケア組成物である、項Ａ〜Ｔのいずれか一項に記載の処理組成物。
Ｖ．当該処理組成物は、液体組成物、顆粒状組成物、単区画パウチ、多区画パウチ、溶解性シート、トローチ若しくはビーズ、繊維状物品、錠剤、バー、フレーク、乾燥用シート、又はこれらの混合物の形態である、項Ａ〜Ｕのいずれか一項に記載の処理組成物。
Ｗ．好ましくは布地である、表面を処理するプロセスであって、（ａ）表面、好ましくは布地、より好ましくは皮脂で汚れた布地を提供する工程と、（ｂ）当該表面を、項Ａ〜Ｖのいずれか一項に記載の組成物と、任意選択的に水の存在下で接触させる工程と、を含む、プロセス。
Ｘ．標的布地に関してオリゴアミン及び／又はその塩の悪臭制御効果を改善するための、布地ケア組成物における界面活性剤系の使用であって、当該界面活性剤系は、直鎖状アルキルベンゼンスルホネート界面活性剤を含み、当該オリゴアミンは、式Ｉ：
【０１３５】
【化６】
2021533244.tif 000007
［式中、各Ｌは独立して、−（ＣｍＨ２ｍ）−であり、添字ｍは各Ｌについて独立して、２〜６の整数であり、ｎは１〜１０の整数であり、Ｒ１〜Ｒ５の各々は独立して、Ｈ及びＣ１〜Ｃ４アルキルから選択される］による構造を有する、使用。
Ｙ．当該界面活性剤系は、ＡＥＳ、非イオン性エトキシル化アルコール界面活性剤、ＡＥＣ、又はこれらの混合物を更に含む、項Ｘに記載の使用。
【０１３６】
試験方法
悪臭低減試験方法
以下の方法を使用して、組成物の悪臭低減効果を試験する。
【０１３７】
Ａ．７５グラムの悪臭マーカーの調製
脂肪酸及び悪臭マーカーを、表Ａに従ってテフロン（登録商標）ライニングされたキャップを有する１００ｍＬのガラスジャーに添加し、渦を用いてよく混合する。
【０１３８】
【表１】
2021533244.tif 000008
【０１３９】
Ｂ．身体汚れ悪臭組成物の調製
表２に記載の指定の量の各材料を、テフロン（登録商標）ライニングされたキャップを有する２００ｍＬのガラスジャーに供給する。人工体汚れ（artificial body soil、ＡＢＳ）は、Ａｃｃｕｒａｔｅ  Ｐｒｏｄｕｃｔ  Ｄｅｖｅｌｏｐｍｅｎｔ（２０２８  Ｂｏｈｌｋｅ  Ｂｌｖｄ，Ｆａｉｒｆｉｅｌｄ，ＯＨ  ４５０１４）により市販されている。
【０１４０】
【表２】
2021533244.tif 000009
【０１４１】
Ｃ．悪臭試験布地の調製
３００μＬの、表Ｂに記載の身体汚れ悪臭組成物を、２×５インチの白色ポリコットン５０／５０（ＰＣＷ５０／５０）見本に適用することによって、洗浄投入分当たり１６の悪臭試験布地を調製する。試験する４８グラムの液体洗剤（例えば、以下の実施例１、表１を参照されたい）を、通常サイクル、すなわち、７７°Ｆの洗浄サイクル、続いて６０°Ｆのすすぎサイクルに設定したＤｕｅｔ  ９２００洗浄具に添加する。例えば銅配管系により周囲濃度の銅を含有する、水道水を使用する。悪臭試験布地を、７ｇｐｇの洗浄水中にて３．９ｋｇ、５０×５０ｃｍのきれいなコットン及びポリコットンバラストを用いて洗浄し、次いで、低温に設定したＭａｙｔａｇ二重スタック回転式乾燥機で２０分間乾燥させる。乾燥した布地をマイラー袋に入れ、２４時間密封する。
【０１４２】
Ｄ．布地上の悪臭の分析的検出
ＡＢＳ／スクアレン悪臭センサーを使用して、悪臭低減について、質量選択検出器（５９７７Ｂ）、Ｃｈｅｍｓｔａｔｉｏｎ定量パッケージ、及び固相マイクロ抽出（ＳＰＭＥ）プローブを備えたＧｅｒｓｔｅｌ多目的サンプラーを備えた、Ａｇｉｌｉｅｎｔガスクロマトグラフ７８９０Ｂを使用して、ガスクロマトグラフィ質量分析により定量的に求める。６−メチル−５−ヘプテン−２−オン（ＣＡＳ  １１０−９３−０）、トランス−２−ヘプテナール（１８８２９−５５−５）、及び３−メチル−２−ブテナール（１０７−８６−８）の較正標準を、これらの材料の既知の重量を軽質鉱油（ＣＡＳ８０２０−８３−５）（各材料はＳｉｇｍａ  Ａｌｄｒｉｃｈから入手可能）に溶解することによって、調製する。布地を、均一な２インチ×２．５インチの小片に切断し、１０ｍＬのヘッドスペースクリンプバイアルに入れる。バイアルを、分析前に１２時間超、平衡化する。以下の設定をオートサンプラーで使用する：８０℃のインキュベーション温度、９０分のインキュベーション時間、ＶＴ３２−１０サンプルトレータイプ、２２ｍｍのバイアル浸透、２０分の抽出時間、５４ｍｍの注入浸透、及び３００秒の脱着時間。以下の設定をＦｒｏｎｔ  Ｓｐｌｉｔ／Ｓｐｌｉｔｌｅｓｓ入口ヘリウムについて使用する：スプリットモード、２５０℃の温度、１２ｐｓｉの圧力、７９．５ｍＬ／分の総流量、３ｍＬ／分のセプタムパージ流量、５０：１のスプリット比、及び２２．５分のＧＣラン時間。以下の設定をオーブンにて使用する：４０℃の初期温度、１２℃／分の加熱プログラム、２５０℃の温度、及び５分の保持時間。各成分の分配係数（Ｋ、８０℃で）に基づいて、６−メチル−５−ヘプテン−２−オン（Ｋ＝３３５３）、トランス−２−ヘプテナール（Ｋ＝３４３４）、及び３−メチル−２−ブテナール（Ｋ＝１１１９）の総計ｎモル／Ｌリットルを計算する。
【０１４３】
これらの値の３つの測定値（ｎモル／Ｌ）を足して一つにし、所与の試験区分についての総計ＡＢＳ／スクアレンマーカー（ｎモル／Ｌ）を得る。
【０１４４】
Ｅ．酸化生成物の悪臭低減の計算
酸化生成物の悪臭低減％については、（オリゴアミンなしの）基準組成物と比較して、試験組成物によってもたらされた、選択された悪臭マーカーの量の低減を比較する百分率として示す。値を、以下のように求める。
酸化生成物の低減％＝（マーカーｒｅｆ−マーカーｔｅｓｔ）×１００／マーカーｒｅｆ
マーカーｒｅｆ及びマーカーｔｅｓｔの値を、以下のように定義する。
マーカーｒｅｆ＝オリゴアミンなしの配合物（例えば、基準又は対照配合物）で洗浄した布地の総計ＡＢＳ／スクアレンマーカー（ｎモル／Ｌ）
マーカーｔｅｓｔ＝試験のオリゴアミンを有する配合物で洗浄した布地の総計ＡＢＳ／スクアレンマーカー（ｎモル／Ｌ）
【０１４５】
測定した酸化生成物は、典型的には悪臭であると考えられるため、組成物によってもたらされた酸化生成物の低減％が高くなるほど、処理した布地では悪臭が減少する可能性が高いと考えられる。したがって、酸化生成物の悪臭低減％の値が大きくなることが、典型的には好ましい。本開示の組成物及びプロセスにより、少なくとも約１０％、又は少なくとも約２０％、又は少なくとも約３０％、又は少なくとも約４０％、又は少なくとも約５０％、又は少なくとも約６０％、又は少なくとも約７０％、又は少なくとも約８０％の、酸化生成物の悪臭低減％をもたらすことができる。
【０１４６】
悪臭低減はまた、マーカーｒｅｆとマーカーｔｅｓｔとの間の差として報告されてもよく、これにより、絶対差（例えば、デルタＡＢＳ／スクアレン酸化）を示す。
【０１４７】
白色度減少試験方法の試験
以下の手順を踏むことによって、白色度減少（例えば、ΔＷＩ）について試験する。
【０１４８】
Ａ．白色度試験布地の調製
のり抜きしたコットン、ポリコットン、及びポリエステル白色度試験布地は、ＷＦＫ．（ＷＦＫ  Ｔｅｓｔｇｅｗｅｂｅ  ＧｍｂＨ（Ｃｈｒｉｓｔｅｎｆｅｌｄ  １０，Ｄ−４１３７９  ｂｒｕｅｇｇｅｎ，Ｇｅｒｍａｎｙ））から注文することができる。各布地タイプの４つ（総計１２の布地）を、通常洗浄サイクル、７７Ｆの洗浄、６０Ｆのすすぎ、ガロン当たり７グレインに設定したＫｅｎｍｏｒｅトップローダ内で４８グラム（７５０ｐｐｍ）のＴｉｄｅ  Ｆｒｅｅ  ａｎｄ  Ｃｌｅａｒ及び２５グラム（３９０ｐｐｍ）のＤｏｗｎｙ  Ｆｒｅｅ  ｒｉｎｓｅにて４回洗浄することにより、白色度試験のために調製する。初期白色度基準測定を、Ｋｏｎｉｋａ  Ｍｉｎｏｌｔａ分光光度計を使用して行い、初期白色度指数ＣＩＥとして報告する。白色度指数ＣＩＥ値は白色度の共通指数であり、Ｄ６５照明下で行った測定値、屋外昼光の標準的表記を指す。完全反射非蛍光白色材料の場合、ＣＩＥ白色度は１００となる。技術用語では、白色度は、特定の照明条件下で白色に近い材料の白色度の相対的な程度を参照する単数指数である。指数は、ほとんどの人々が、白色度指数がより大きいほど材料はより白いものであることに同意するよう、考案されている。
【０１４９】
Ｂ．白色度試験
布地を、以下の表３にまとめた条件下で、７．５７リットルのあつらえた洗浄槽に入れる。布地を、洗浄サイクル中に５．６５グラム（７４６ｐｐｍ）の洗剤（液体ＴＩＤＥ（登録商標））を使用してバックグラウンドの汚れと共に洗浄し、続いてすすぎサイクル中に３グラム（３９６ｐｐｍ）の液体布地柔軟剤（ＤＯＷＮＹ（登録商標）ＦＲＥＥ）を使用する。すすぎサイクルを完了してから、全ての布地を取り出し、回転式乾燥機に入れる。これを、１０回の洗浄、すすぎ、及び乾燥サイクルにわたって繰り返す。１０サイクル後、Ｋｏｎｉｋａ  Ｍｉｎｏｌｔａ分光光度計を使用して、白色度減少について布地を測定し、測定値を最終白色度指数として報告する。初期と処理済との間の白色度指数測定値の差を表す、平均デルタＷＩ（すなわち、ΔＷＩ）を、試験した各布地について計算し、以下の計算によって表す：ΔＷＩ＝調製後の初期白色度指数−１０〜２０サイクル後の処理済白色度指数。典型的には、ΔＷＩは、白色度はバックグラウンドの汚れと共に洗浄した後に減少する傾向にあるため、負の値である。白色度指数を、ΔΔＷＩ＝ΔＷＩオリゴアミンありの試験−ΔＷＩ基準（オリゴアミンなし）として、表に報告する。ΔΔＷは、オリゴアミンを含有していない基準液体洗剤組成物と比較して、オリゴアミンを含有する試験液体洗剤組成物によって洗浄した後に白色度が低下する傾向にある場合、負の値である。ゼロに近い数は、布地の黄変にほとんど影響を及ぼさないオリゴアミンを表す。
【０１５０】
【表３】
2021533244.tif 000010
【実施例】
【０１５１】
以下に提供される実施例は、事実上例示を意図するものであり、限定することを意図するものではない。
【０１５２】
実施例１．例示的な配合物（重質液体洗濯洗剤）
以下の重質液体洗濯洗剤組成物を、当業者に公知である既存の手段により、表１に列挙した成分を混合することによって調製することができる。組成物１Ａは、本開示の直鎖状オリゴアミンを含有していない従来の上等な洗濯洗剤である。組成物１Ｂは、ＥＤＤＳキレート剤を含む比較例である。提供された組成物の全ては、直鎖状アルキルベンゼンスルホネート界面活性剤を含む。
【０１５３】
【表４】
2021533244.tif 000011
１．Ｓｔｅｐａｎ（Ｎｏｒｔｈｆｉｅｌｄ，Ｉｌｌｉｎｏｉｓ，ＵＳＡ）により供給されている、平均脂肪族炭素鎖長Ｃ１１〜Ｃ１２を有する直鎖状アルキルベンゼンスルホネート
２．ＡＥ９は、Ｈｕｎｔｓｍａｎ（Ｓａｌｔ  Ｌａｋｅ  Ｃｉｔｙ，Ｕｔａｈ，ＵＳＡ）により供給されている、平均エトキシル化度が９のＣ１２〜１４アルコールエトキシレートである。
３．ジエチレンテトラアミン五酢酸（ＤＴＰＡ）は、Ｄｏｗ  Ｃｈｅｍｉｃａｌ（Ｍｉｄｌａｎｄ，Ｍｉｃｈｉｇａｎ，ＵＳＡ）から供給されている。Ｓｏｌｕｔｉａ，Ｓｔ  Ｌｏｕｉｓ，Ｍｉｓｓｏｕｒｉ，ＵＳＡ  Ｂａｇｓｖａｅｒｄ，Ｄｅｎｍａｒｋ，により供給されているヒドロキシエタンジホスホネート（ＨＥＤＰ）も使用することができる。
４．−ＮＨ当たり２０のエトキシレート基を有するポリエチレンイミン（ＭＷ＝６００）。
５．両親媒性アルコキシル化脂洗浄ポリマーは、−ＮＨ当たり２４のエトキシレート基、及び−ＮＨ当たり１６のプロポキシレート基を有するポリエチレンイミン（ＭＷ＝６００）である。
６．プロテアーゼは、Ｇｅｎｅｎｃｏｒ  Ｉｎｔｅｒｎａｔｉｏｎａｌ（Ｐａｌｏ  Ａｌｔｏ（Ｃａｌｉｆｏｒｎｉａ，ＵＳＡ））により供給されているもの（例えばＰｕｒａｆｅｃｔ  Ｐｒｉｍｅ（登録商標））、又はＮｏｖｏｚｙｍｅｓ（Ｂａｇｓｖａｅｒｄ，Ｄｅｎｍａｒｋ）により供給されているもの（例えばＬｉｑｕａｎａｓｅ（登録商標）、Ｃｏｒｏｎａｓｅ（登録商標））であってもよい。
７．Ｎａｔａｌａｓｅ（登録商標）、Ｍａｎｎａｗａｙ（登録商標）は全て、Ｎｏｖｏｚｙｍｅｓ（Ｂａｇｓｖａｅｒｄ，Ｄｅｎｍａｒｋ）の製品である。
８．好適な蛍光白化剤は、例えば、Ｔｉｎｏｐａｌ（登録商標）ＡＭＳ、Ｔｉｎｏｐａｌ（登録商標）ＣＢＳ−Ｘである。
９．ジエチレントリアミン（ＤＥＴＡ）
１０．Ｎ，Ｎ’−ビス（３−アミノプロピル）エチレンジアミン
１１．テトラエチレンペンタミン（ＴＥＰＡ）
【０１５４】
実施例２．直鎖状オリゴアミンの悪臭制御、既知のキレート剤に対して
本開示の直鎖状オリゴアミンの悪臭制御有効性を示すために、上記実施例１、表１に従って様々な液体洗剤組成物を調製する。各組成物は、直鎖状アルキルベンゼンスルホネート（ＬＡＳ）を含有する。いくつかは、１種以上の従来のキレート剤を有し、いくつかは、本開示による直鎖状オリゴアミンを含む。
【０１５５】
実施例２Ａは、従来のキレート剤（ジエチレンテトラアミン五酢酸（ＤＴＰＡ））を含有する上等なタイプの洗濯洗剤である。実施例２Ｂ、２Ｃ、２Ｄ、及び２Ｅの場合、追加のアミンを添加する。実施例２Ｂは、追加のアミノキレート剤、エチレンジアミン二コハク酸（ＥＤＤＳ）を含有する。実施例２Ｃ、２Ｄ、及び２Ｅは、以下の表２に詳述するように、本開示の直鎖状オリゴアミンを含有する。組成物を、上記で示した試験方法に従って、酸化生成物低減％について試験する。結果を表２に示す。
【０１５６】
【表５】
2021533244.tif 000012
１Ｎ，Ｎ’−ビス（３−アミノプロピル）エチレンジアミンは、以下の構造を有する。
【０１５７】
【化７】
2021533244.tif 000013
【０１５８】
表２の結果は、実施例２Ｃ、２Ｄ、及び２Ｅの直鎖状オリゴアミンの、２Ａの追加のアミンなしの組成物と比較した、悪臭制御効果を示している。実施例２Ｃ、２Ｄ、及び２Ｅはまた、実施例２Ｂと比較して悪臭制御の改善を示し、これは、オリゴアミンが、ＥＤＤＳ、異なるアミン含有キレート剤よりも良好に機能することを示している。
【０１５９】
実施例３．ＬＡＳ及び任意選択的にＡＥＳと組み合わせた、直鎖状オリゴアミンの悪臭制御
ＬＡＳ及び任意選択的にＡＥＳと組み合わせた、本開示の直鎖状オリゴアミンの効果を示すために、以下の表３Ａに示す成分を有する、液体洗剤組成物を調製する。区分Ａは、本開示による直鎖状オリゴアミンを含まない。区分Ｂは、ジエチレントリアミン（ＤＥＴＡ）、代表的な直鎖状オリゴアミンを、０．２重量％の濃度で含む。更に、各区分の組成物は、界面活性剤系を１８．１％の濃度で含む。ただし、界面活性剤系は、表３Ｂに示すように、ＬＡＳ及びＡＥＳを様々な比率で含む。
【０１６０】
様々な界面活性剤系におけるＤＥＴＡの悪臭制御効果について試験するために、布地を処理（北米のトップローディング洗濯機、水：８７°Ｆ／７ｇｐｇ）して、上記のように悪臭除去について試験する。悪臭除去試験の結果を、表３Ｂに示す。
【０１６１】
【表６】
2021533244.tif 000014
３．ジエチレンテトラアミン五酢酸（ＤＴＰＡ）は、Ｄｏｗ  Ｃｈｅｍｉｃａｌ（Ｍｉｄｌａｎｄ，Ｍｉｃｈｉｇａｎ，ＵＳＡ）から供給されている。Ｓｏｌｕｔｉａ，Ｓｔ  Ｌｏｕｉｓ，Ｍｉｓｓｏｕｒｉ，ＵＳＡ  Ｂａｇｓｖａｅｒｄ，Ｄｅｎｍａｒｋ，により供給されているヒドロキシエタンジホスホネート（ＨＥＤＰ）も使用することができる。
４．−ＮＨ当たり２０のエトキシレート基を有するポリエチレンイミン（ＭＷ＝６００）。
５．両親媒性アルコキシル化脂洗浄ポリマーは、−ＮＨ当たり２４のエトキシレート基、及び−ＮＨ当たり１６のプロポキシレート基を有するポリエチレンイミン（ＭＷ＝６００）である。
６．プロテアーゼは、Ｇｅｎｅｎｃｏｒ  Ｉｎｔｅｒｎａｔｉｏｎａｌ（Ｐａｌｏ  Ａｌｔｏ（Ｃａｌｉｆｏｒｎｉａ，ＵＳＡ））により供給されているもの（例えばＰｕｒａｆｅｃｔ  Ｐｒｉｍｅ（登録商標））、又はＮｏｖｏｚｙｍｅｓ（Ｂａｇｓｖａｅｒｄ，Ｄｅｎｍａｒｋ）により供給されているもの（例えばＬｉｑｕａｎａｓｅ（登録商標）、Ｃｏｒｏｎａｓｅ（登録商標））であってもよい。
７．Ｎａｔａｌａｓｅ（登録商標）、Ｍａｎｎａｗａｙ（登録商標）は全て、Ｎｏｖｏｚｙｍｅｓ（Ｂａｇｓｖａｅｒｄ，Ｄｅｎｍａｒｋ）の製品である。
８．好適な蛍光白化剤は、例えば、Ｔｉｎｏｐａｌ（登録商標）ＡＭＳ、Ｔｉｎｏｐａｌ（登録商標）ＣＢＳ−Ｘである。
９．オクタデシル３−（３，５−ジ−ｔｅｒｔ−ブチル−４−ヒドロキシフェニル）プロピオネート、Ｔｉｎｏｇａｒｄ  ＴＳ（ＢＡＳＦ）として市販されている。
１０．本開示のオリゴアミンは、ジエチレントリアミン（ＤＥＴＡ）である。
【０１６２】
【表７】
2021533244.tif 000015
１Ｓｔｅｐａｎ（Ｎｏｒｔｈｆｉｅｌｄ，Ｉｌｌｉｎｏｉｓ，ＵＳＡ）により供給されている、平均脂肪族炭素鎖長Ｃ１１〜Ｃ１２を有する直鎖状アルキルベンゼンスルホネート
２Ｃ１２〜１５アルキルエトキシ（１．８）サルフェート
【０１６３】
表３Ｂに示すように、ＬＡＳ及びＤＥＴＡの組み合わせを含む組成物は、ＬＡＳなしの界面活性剤系（例えば、実施例３Ｇ）におけるＤＥＴＡと比較して、悪臭低減効果の改善をもたらす。更に、界面活性剤系中のＬＡＳの相対量が増加する（例えば、４０：６０超のＬＡＳ：ＡＥＳ重量比）につれて、効果はより顕著になる。これは、ＤＥＴＡなしの区分（区分Ａ）においてＬＡＳの相対量が増加するにつれて、悪臭酸化生成物の量が全般的に増加することを考慮すると、特に驚くべきことである。
【０１６４】
実施例４．ＬＡＳ及び任意選択的に非イオン性エトキシル化アルコール界面活性剤と組み合わせた、直鎖状オリゴアミンの悪臭制御
ＬＡＳ及び任意選択的に非イオン性エトキシル化アルコール界面活性剤と組み合わせた、本開示の直鎖状オリゴアミンの効果を示すために、上記の実施例３、表３Ａに示すような全般的成分を有する、液体洗剤組成物を調製する。区分Ａは、本開示による直鎖状オリゴアミンを含まない。区分Ｂは、ジエチレントリアミン（ＤＥＴＡ）、代表的な直鎖状オリゴアミンを、０．２重量％の濃度で含む。更に、各区分の組成物は、界面活性剤系を１８．１％の濃度で含む。ただし、実施例４の目的のために、界面活性剤系は、表４に示すように、ＬＡＳ及び非イオン性エトキシル化アルコール界面活性剤を様々な比率で含む。
【０１６５】
様々な界面活性剤系におけるＤＥＴＡの悪臭制御効果について試験するために、布地を処理（北米のトップローディング機、水：８７°Ｆ／７ｇｐｇ）して、上記のように悪臭低減について試験する。悪臭低減試験の結果を、表４に示す。
【０１６６】
【表８】
2021533244.tif 000016
１Ｓｔｅｐａｎ（Ｎｏｒｔｈｆｉｅｌｄ，Ｉｌｌｉｎｏｉｓ，ＵＳＡ）により供給されている、平均脂肪族炭素鎖長Ｃ１１〜Ｃ１２を有する直鎖アルキルベンゼンスルホネート
２非イオン性エトキシル化アルコール界面活性剤、具体的には、Ｈｕｎｔｓｍａｎ（Ｓａｌｔ  Ｌａｋｅ  Ｃｉｔｙ，Ｕｔａｈ，ＵＳＡ）により供給されている、平均エトキシル化度が９のＣ１２〜１４アルコールエトキシレート。
【０１６７】
表４に示すように、ＬＡＳ及びＤＥＴＡの組み合わせを含む組成物は、ＬＡＳなしの界面活性剤系（例えば、実施例４Ｇ）におけるＤＥＴＡと比較して、悪臭低減効果の改善をもたらす。更に、界面活性剤系中のＬＡＳの相対量が増加する（例えば、４０：６０以上のＬＡＳ：ＮＩ重量比）につれて、悪臭低減効果はより顕著になる。
【０１６８】
実施例５．ＬＡＳ及びアルキルエトキシル化カルボキシレート（ＡＥＣ）界面活性剤と組み合わせた、直鎖状オリゴアミンの悪臭制御
ＬＡＳ及びＡＥＣ界面活性剤と組み合わせた、本開示の直鎖状オリゴアミンの効果を示すために、上記の実施例３、表３Ａに示すような全般的成分を有する、液体洗剤組成物を調製する。区分Ａは、本開示による直鎖状オリゴアミンを含まない。区分Ｂは、ジエチレントリアミン（ＤＥＴＡ）、代表的な直鎖状オリゴアミンを、０．２重量％の濃度で含む。更に、各区分の組成物は、界面活性剤系を１８．１％の濃度で含む。ただし、実施例５の目的のために、界面活性剤系は、表５に示すように、ＬＡＳ及びアルキルエトキシル化カルボキシレート（ＡＥＣ）界面活性剤を様々な比率で含む。
【０１６９】
布地を、北米のトップローディング式自動洗濯機（水：３０．６℃、７ｇｐｇ）で処理する。悪臭低減効果を、第２の区分（区分Ｂ、ＤＥＴＡあり）で処理した織物での酸化生成物の低減百分率として、第１の区分（区分Ａ、ＤＥＴＡなし）と比較して、表５に示す。
【０１７０】
【表９】
2021533244.tif 000017
１Ｓｔｅｐａｎ（Ｎｏｒｔｈｆｉｅｌｄ，Ｉｌｌｉｎｏｉｓ，ＵＳＡ）により供給されている、平均脂肪族炭素鎖長Ｃ１１〜Ｃ１２を有する直鎖状アルキルベンゼンスルホネート。
２Ｃ１２〜Ｃ１４アルコールポリエチレングリコールエーテルカルボン酸（Ｓａｓｏｌにより供給されているＭａｒｌｏｗｅｔ  ４５４１）。
【０１７１】
表５に示すように、最大相対量のＬＡＳを含有する実施例５Ｄによると、悪臭低減効果が最大になる。
【０１７２】
実施例６．アルキル化の影響
ここに記載の様々なアルキル化度のオリゴアミンが悪臭低減効果に対して有することができる有効性を示すために、以下の分子を、上記に示した試験方法に従って提供された濃度で試験する。オリゴアミンを、ＬＡＳ、ＡＥＳ、及び非イオン性界面活性剤を含む液体洗剤に添加する。この試験を、北米のフロントローディング式自動洗濯機で実施する。
【０１７３】
酸化生成物の、基準組成物に対する低減百分率を、以下の表６Ａ及び表６Ｂの各化合物について示す。
【０１７４】
【表１０】
2021533244.tif 000018
上記の構造によって示すように、実施例６Ｂは末端一級アミンが特徴点であり、実施例６Ｃは末端二級アミンが特徴点であり、実施例６Ｃは末端三級アミンが特徴点である。表６Ａに示すように、実施例６Ｂ〜６Ｄは、各々悪臭低減効果をもたらし、実施例６Ｂで悪臭低減が相対的に最大になる。
【０１７５】
【表１１】
2021533244.tif 000019
【０１７６】
表６Ｂに示すように、実施例６Ｆで、悪臭低減が相対的に最大になる。
【０１７７】
実施例７．オリゴアミン白色度に対して
オリゴアミン（及びその濃度％）が白色度に対して有することができる有効性を示すために、特定のアミンを、表７に示すように、北米の液体ＴＩＤＥ（登録商標）（市販の重質液体洗濯洗剤）に添加する。洗剤組成物は、ＬＡＳ、ＡＥＳ、及び非イオン性界面活性剤を含む。様々な布地（コットン、ポリコットン、及びポリエステル）を、組成物による１０回の洗浄サイクルにわたって北米条件下で処理する。
【０１７８】
１０サイクル後、試験方法の項で上述したように、白色度減少を、ΔＷＩ試験に従って求める。結果を表７に示す。負の数は白色度減少を示し、数の大きさが大きくなることは、白色度損失が大きくなることを示す（例えば、−１０は、−５よりも白色度減少が大きいことを示す）。白色度減少は、０〜−５、又は０〜−４であることが好ましい。白色度減少の大きさが大きくなることは、製品が消費者用途にあまり好ましくない場合があることを示す。
【０１７９】
【表１２】
2021533244.tif 000020
【０１８０】
表７に示すように、アミンの存在により、複数回の処理時に白色度減少をもたらすことがある。しかし、例えば０．１重量％未満のアミン濃度によりもたらされる白色度減少（試行７Ｂ及び７Ｃを参照されたい）は、製造業者にとって比較的許容可能である。比較として、１％超のＤＥＴＡ濃度を含む試行７Ｄでは、あまり好ましくないと考えられる白色度減少を示す。アルキル化オリゴアミンにより、白色度減少を更に改善することができ、及び／又は、オリゴアミンを比較的高い濃度で配合すると共に許容可能な範囲内の白色度減少を維持することが可能になると考えられる。
【０１８１】
本明細書に開示される寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【０１８２】
相互参照される又は関連する任意の特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのようないかなる発明も教示、示唆又は開示するとは見なされない。更に、本文書における用語の任意の意味又は定義が、参照により組み込まれた文書内の同じ用語の任意の意味又は定義と矛盾する場合、本文書においてその用語に与えられた意味又は定義が適用されるものとする。
【０１８３】
本発明の特定の実施形態を例示及び説明してきたが、本発明の趣旨及び範囲から逸脱することなく様々な他の変更及び修正を行うことができる点は当業者には明白であろう。したがって、本発明の範囲内にある全てのそのような変更及び修正を添付の特許請求の範囲に網羅することが意図されている。
【国際調査報告】
2021533244.tif 000023
2021533244.tif 000024
2021533244.tif 000025